(57)【要約】【課題】間接気化冷却機能を備えると共に、２４時間換気機能を備えて、住宅への設置が可能な換気装置を提供することを目的とする。【解決手段】換気装置１Ｄは、暖房運転時は、間接気化冷却ユニット４におけるワーキングエアＷＡの供給を停止する。外気吸込口５から吸気された外気ＯＡは、熱交換ユニット３１によって、還気吸込口７から吸気された還気ＲＡとの間で熱交換される。冬場は還気ＲＡの温度は外気ＯＡの温度よりも高いので、外気ＯＡは温度が上がる。そして、間接気化冷却ユニット４は、ワーキングエアＷＡの供給が停止しているので、プロダクトエア流路１１ｂを通るプロダクトエアＰＡは冷却されない。これにより、熱交換ユニット３１で加温された外気ＯＡが、給気ＳＡとして給気吹出口６から給気される。【選択図】        図１１
2007139333.tif 000002
【特許請求の範囲】
【請求項１】
外気吸込口から給気吹出口へのエアの流れを生成する給気ファンと、
還気吸込口から排気吹出口へのエアの流れを生成する排気ファンと、
隔壁で仕切られた第１の流路と第２の流路に供給されたエアの間で熱交換が行われる熱交換ユニットと、
水の気化熱で冷却されるワーキングエアが流れるワーキングエア流路を有すると共に、熱交換隔壁で前記ワーキングエア流路と仕切られ、前記ワーキングエア流路を流れるワーキングエアとの間で顕熱交換が行われるプロダクトエアが流れるプロダクトエア流路とを有し、前記ワーキングエア流路が前記プロダクトエア流路に沿った向きで配置された間接気化冷却ユニットと、
前記間接気化冷却ユニットに設けられ、給排水を行う給排水装置と、
前記外気吸込口から前記熱交換ユニットの前記第１の流路および前記間接気化冷却ユニットの前記プロダクトエア流路を通り、前記給気吹出口へ連通した給気流路と、
前記還気吸込口から前記熱交換ユニットの前記第２の流路を通り、前記排気吹出口へ連通した第１の排気流路と、
前記熱交換ユニットの下流側で前記給気流路から分岐するか、または、前記熱交換ユニットの上流側で前記第１の排気流路から分岐して、前記間接気化冷却ユニットの前記ワーキングエア流路を通り、前記排気吹出口へ連通した第２の排気流路と、
前記間接気化冷却ユニットの前記ワーキングエア流路を流れるワーキングエアもしくは前記プロダクトエア流路を流れるプロダクトエアの少なくとも一方の流量を調整する流量制御手段を備え、
前記間接気化冷却ユニットへの前記プロダクトエアもしくは前記ワーキングエアの供給の有無と、前記間接気化冷却ユニットへの前記給排水装置による水の供給の有無で、前記給気吹出口からの給気温度を制御する
ことを特徴とする換気装置。
【請求項２】
前記熱交換ユニットは、前記第１の流路と前記第２の流路に供給されたエアの間で顕熱、または顕熱と潜熱の交換が行われる熱交換エレメントを備えた
ことを特徴とする請求項１記載の換気装置。
【請求項３】
前記間接気化冷却ユニットの下流で前記第２の排気流路から分岐し、前記間接気化冷却ユニットの下流で前記給気流路と連通した加湿給気流路を備え、
前記間接気化冷却ユニットへ供給されるワーキングエアの流路を前記第２の排気流路から前記加湿給気流路へ切り換えて、前記給気吹出口からの給気温度を制御する
ことを特徴とする請求項１または２記載の換気装置。
【請求項４】
外気吸込口から給気吹出口へのエアの流れを生成する給気ファンと、
還気吸込口から排気吹出口へのエアの流れを生成する排気ファンと、
隔壁で仕切られた除湿流路および再生流路に跨って回転駆動される除湿ロータを有する除湿ユニットと、
水の気化熱で冷却されるワーキングエアが流れるワーキングエア流路を有すると共に、熱交換隔壁で前記ワーキングエア流路と仕切られ、前記ワーキングエア流路を流れるワーキングエアとの間で顕熱交換が行われるプロダクトエアが流れるプロダクトエア流路とを有し、前記ワーキングエア流路が前記プロダクトエア流路に沿った向きで配置された間接気化冷却ユニットと、
前記間接気化冷却ユニットに設けられ、給排水を行う給排水装置と、
前記外気吸込口から前記除湿ユニットの前記除湿流路及び前記間接気化冷却ユニットの前記プロダクトエア流路を通り、前記給気吹出口へ連通した給気流路と、
前記還気吸込口から前記除湿ユニットの前記再生流路を通り、前記排気吹出口へ連通した第１の排気流路と、
前記除湿ユニットの下流側で前記給気流路から分岐するか、または、前記除湿ユニットの上流側で前記第１の排気流路から分岐して、前記間接気化冷却ユニットの前記ワーキングエア流路を通り、前記排気吹出口へ連通した第２の排気流路と、
前記間接気化冷却ユニットの前記ワーキングエア流路を流れるワーキングエアもしくは前記プロダクトエア流路を流れるプロダクトエアの少なくとも一方の流量を調整する流量制御手段を備え、
前記間接気化冷却ユニットへの前記プロダクトエアもしくは前記ワーキングエアの供給の有無と、前記間接気化冷却ユニットへの前記給排水装置による水の供給の有無で、前記給気吹出口からの給気温度を制御する
ことを特徴とする換気装置。
【請求項５】
前記間接気化冷却ユニットの下流で前記第２の排気流路から分岐し、前記間接気化冷却ユニットの下流で前記給気流路と連通した加湿給気流路を備え、
前記間接気化冷却ユニットへ供給されるワーキングエアの流路を前記第２の排気流路から前記加湿給気流路へ切り換えて、前記給気吹出口からの給気温度を制御する
ことを特徴とする請求項４記載の換気装置。
【請求項６】
前記給気流路を前記除湿ユニットの前記再生流路と連通させ、前記第１の排気流路を前記除湿ユニットの前記除湿流路と連通させて、前記除湿ロータに還気の水分を吸着させ、前記給気流路を通るエアを加湿する
ことを特徴とする請求項４または５記載の換気装置。
【請求項７】
前記第２の排気流路を前記除湿ユニットの前記除湿流路と連通させ、前記除湿ロータにワーキングエアの水分を吸着させる
ことを特徴とする請求項６記載の換気装置。
【請求項８】
所定時間で建物内の空気の入れ替えができるように、前記還気吸込口からの還気流量と前記給気吹出口からの給気流量を調整する
ことを特徴とする請求項１〜７に何れか記載の換気装置。
【請求項９】
前記間接気化冷却ユニットは、前記プロダクトエア流路を流れるプロダクトエアに対して前記ワーキングエア流路を流れるワーキングエアを対向流とした
ことを特徴とする請求項１〜８に何れか記載の換気装置。
【請求項１０】
請求項１〜９に何れか記載の換気装置を備えた
ことを特徴とする建物。
【発明の詳細な説明】
【技術分野】
【０００１】
本発明は、住宅に設置され、室内と屋外で換気を行う換気装置及びこの換気装置を備えた建物に関し、特に、水の気化熱を利用してエアを冷却する間接気化冷却機能を備えた換気装置及び換気システムに関する。
【背景技術】
【０００２】
従来より、建物を冷房する空調装置が提案されているが、水の気化熱を利用してエアを冷却する間接気化冷却装置を備えた空調装置が提案されている（例えば、特許文献１参照）。間接気化冷却装置は、隔壁で仕切られた流路間で顕熱（温度）交換を行う構成で、一方の流路で水の気化熱を利用してエアを冷却すると共に、他方の流路との間で冷熱の授受を行い、他方の流路を通るエアを冷却して、室内等に供給するものである。
【０００３】
【特許文献１】特開２００４−１９０９０７号公報
【発明の開示】
【発明が解決しようとする課題】
【０００４】
従来の間接気化冷却装置を備えた空調装置は、オフィスや店舗等に設置されており、住宅への設置は考慮されていない。間接気化冷却装置を備えた空調装置を住宅に設置する場合、温度制御が重要となるが、従来装置では、住宅での使用に要求される温度制御はできないという問題がある。
【０００５】
また、一般的な空調装置を含めて、室内と屋外で換気を行う機能を備えた装置は少ない。このため、換気を行いながら冷房を行うためには、換気装置と空調装置の双方を備える必要があるが、設置のスペースを確保するのが難しく、また、コストも高いという問題がある。
【０００６】
更に、間接気化冷却装置を備えた従来の空調装置では、暖房機能は備えられていないので、更に暖房装置の設置も必要となる。
【０００７】
また、従来の暖房装置は、電力消費量が多くランニングコストが高く、エネルギー負荷が大きいという問題がある。
【０００８】
更に、換気装置と暖房装置を併用すると、温められた空気が換気装置で排出されてしまうので室温が低下するという問題があり、温度低下を抑えるためには、エネルギー消費が大きくなるという問題がある。
【０００９】
本発明は、このような課題を解決するためになされたもので、間接気化冷却機能を備え、かつ暖房機能を備えた換気装置及びこのような換気装置を備えた建物を提供することを目的とする。
【課題を解決するための手段】
【００１０】
上述した課題を解決するため、請求項１の発明は、外気吸込口から給気吹出口へのエアの流れを生成する給気ファンと、還気吸込口から排気吹出口へのエアの流れを生成する排気ファンと、隔壁で仕切られた第１の流路と第２の流路に供給されたエアの間で熱交換が行われる熱交換ユニットと、水の気化熱で冷却されるワーキングエアが流れるワーキングエア流路を有すると共に、熱交換隔壁でワーキングエア流路と仕切られ、ワーキングエア流路を流れるワーキングエアとの間で顕熱交換が行われるプロダクトエアが流れるプロダクトエア流路とを有し、ワーキングエア流路がプロダクトエア流路に沿った向きで配置された間接気化冷却ユニットと、間接気化冷却ユニットに設けられ、給排水を行う給排水装置と、外気吸込口から熱交換ユニットの第１の流路および間接気化冷却ユニットのプロダクトエア流路を通り、給気吹出口へ連通した給気流路と、還気吸込口から熱交換ユニットの第２の流路を通り、排気吹出口へ連通した第１の排気流路と、熱交換ユニットの下流側で給気流路から分岐するか、または、熱交換ユニットの上流側で第１の排気流路から分岐して、間接気化冷却ユニットのワーキングエア流路を通り、排気吹出口へ連通した第２の排気流路と、間接気化冷却ユニットのワーキングエア流路を流れるワーキングエアもしくはプロダクトエア流路を流れるプロダクトエアの少なくとも一方の流量を調整する流量制御手段を備え、間接気化冷却ユニットへのプロダクトエアもしくはワーキングエアの供給の有無と、間接気化冷却ユニットへの給排水装置による水の供給の有無で、給気吹出口からの給気温度を制御することを特徴とする。
【００１１】
請求項１の発明では、間接気化冷却ユニットへのプロダクトエアもしくはワーキングエアの供給の有無と、間接気化冷却ユニットへの水の供給の有無を制御することで、外気の温度が低く、室内の温度が高い冬場は、熱交換ユニットで加温された外気が間接気化冷却ユニットで冷却されることなく室内に給気される。
【００１２】
請求項４の発明は、外気吸込口から給気吹出口へのエアの流れを生成する給気ファンと、還気吸込口から排気吹出口へのエアの流れを生成する排気ファンと、隔壁で仕切られた除湿流路および再生流路に跨って回転駆動される除湿ロータを有する除湿ユニットと、水の気化熱で冷却されるワーキングエアが流れるワーキングエア流路を有すると共に、熱交換隔壁でワーキングエア流路と仕切られ、ワーキングエア流路を流れるワーキングエアとの間で顕熱交換が行われるプロダクトエアが流れるプロダクトエア流路とを有し、ワーキングエア流路がプロダクトエア流路に沿った向きで配置された間接気化冷却ユニットと、間接気化冷却ユニットに設けられ、給排水を行う給排水装置と、外気吸込口から除湿ユニットの除湿流路及び間接気化冷却ユニットのプロダクトエア流路を通り、給気吹出口へ連通した給気流路と、還気吸込口から除湿ユニットの再生流路を通り、排気吹出口へ連通した第１の排気流路と、除湿ユニットの下流側で給気流路から分岐するか、または、除湿ユニットの上流側で第１の排気流路から分岐して、間接気化冷却ユニットのワーキングエア流路を通り、排気吹出口へ連通した第２の排気流路と、間接気化冷却ユニットのワーキングエア流路を流れるワーキングエアもしくはプロダクトエア流路を流れるプロダクトエアの少なくとも一方の流量を調整する流量制御手段を備え、間接気化冷却ユニットへのプロダクトエアもしくはワーキングエアの供給の有無と、間接気化冷却ユニットへの給排水装置による水の供給の有無で、給気吹出口からの給気温度を制御することを特徴とする。
【００１３】
請求項４の発明では、間接気化冷却ユニットへのプロダクトエアもしくはワーキングエアの供給の有無と、間接気化冷却ユニットへの水の供給の有無を制御することで、外気の温度が低く、室内の温度が高い冬場は、除湿ユニットで加湿及び加温された外気が間接気化冷却ユニットで冷却されることなく室内に給気される。
【００１４】
請求項１０の発明は、このような換気装置を備えたことを特徴とする建物である。
【発明の効果】
【００１５】
本発明の換気装置によれば、室内のエアを吸い込んで排気する機能を備えることで、換気を行いつつ冷房が行えると共に、プロダクトエアあるいはワーキングエアの供給の有無等を切り換えることで、加温された外気、更には加温及び加湿された外気を給気することができる。
【００１６】
これにより、間接気化冷却ユニットを備えて暖房機能と換気機能を有する換気装置を、暖房機としても使用可能となる。そして、間接気化冷却ユニット等を利用することで加湿ができるので、冬場の室内の乾燥を防ぐことができる。
【００１７】
また、還気流量と給気流量を調整することで、所定時間で換気対象となっている建物内の空気の入れ替えを行えるので、建築基準法で求められる換気能力を備えることができる。
【００１８】
従って、住宅への設置に要求される性能を有する間接気化冷却機能と、２４時間換気機能を備えた換気装置を、小型、かつ安価に提供できる。
【００１９】
そして、このような換気装置を備えた建物では、外気と建物内の空気の換気を行いながら空調が行われるので、快適な住空間を提供できると共に、水を利用して空調を行うことで、消費電力を抑えることができる。
【発明を実施するための最良の形態】
【００２０】
以下、図面を参照して本発明の換気装置及び建物の実施の形態について説明する。
【００２１】
＜間接気化冷却ユニットを備えた換気装置１Ａの基本構成＞
図１は間接気化冷却ユニットを備えた換気装置１Ａの一例を示す構成図である。換気装置１Ａは、給気ファン２と排気ファン３と間接気化冷却ユニット４を備える。
【００２２】
また、換気装置１Ａは、屋外からの外気ＯＡ（OutsideAir）を吸い込む外気吸込口５と、給気ＳＡ（SupplyAir）を室内に吹き出す給気吹出口６を備える。更に、換気装置１Ａは、室内からの還気ＲＡ（ReturnAir）を吸い込む還気吸込口７と、排気ＥＡ（ExhaustAir）を屋外に吹き出す排気吹出口８を備える。なお、各吹出口及び各吸込口は、例えば図示しないダクト等を介して室内及び屋外と接続される。
【００２３】
給気ファン２及び排気ファン３は例えばシロッコファンで、給気ファン２は、外気吸込口５から給気吹出口６へ連通した給気流路９Ａにおいて、給気吹出口６へ向かうエアの流れを生成する。また、排気ファン３は、還気吸込口７から排気吹出口８へ連通した排気流路１０Ａにおいて、排気吹出口８へ向かうエアの流れを生成する。ここで、給気ファン２と排気ファン３は独立したモータで駆動される構成で、ファン風量が独立して制御できるようになっている。なお、給気ファン２と排気ファン３を単一のモータで駆動する構成としても良い。
【００２４】
間接気化冷却ユニット４は、間接気化エレメント１１と、給排水装置１２等を備える。間接気化エレメント１１は、後述するように熱交換隔壁で仕切られたワーキングエア流路１１ａとプロダクトエア流路１１ｂを備え、ワーキングエア流路１１ａを通るワーキングエアＷＡと、プロダクトエア流路１１ｂを通るプロダクトエアＰＡとの間で顕熱（温度）交換が行われる。
【００２５】
そして、ワーキングエア流路１１ａに、後述するように湿潤部材を備えて、湿潤部材に水を供給することで、ワーキングエアＷＡが水の気化熱で冷却されると共に、ワーキングエアＷＡとの間で顕熱交換が行われるプロダクトエアＰＡが、湿度（絶対湿度）が変化することなく冷却される。
【００２６】
間接気化エレメント１１の詳細は後述するが、間接気化エレメント１１は、ワーキングエア流路１１ａがプロダクトエア流路１１ｂに沿って配置される。本例では、ワーキングエア流路１１ａとプロダクトエア流路１１ｂは平行に配置され、ワーキングエア流路１１ａを通るワーキングエアＷＡと、プロダクトエア流路１１ｂを通るプロダクトエアＰＡの流れを逆向きとして対向流としている。なお、間接気化冷却ユニット４を断熱材で囲う構成としても良い。
【００２７】
給排水装置１２は、間接気化エレメント１１に水を供給する給水口１２ａと、給水口１２ａから間接気化エレメント１１に供給された水を貯めるドレンパン１３Ａと、ドレンパン１３Ａの水を排出する排水口１２ｂを備える。
【００２８】
給排水装置１２は、例えば電磁弁で構成される給水バルブ１２ｃが給水口１２ａと接続されて、間接気化エレメント１１への給水の有無が切り替えられる。給水口１２ａは、本例では間接気化エレメント１１の上側に単数あるいは複数のノズル等が配置され、間接気化エレメント１１の上側から水が滴下または散水される。なお、給水バルブ１２ｃは、流量可変機能を備えた給水量調整バルブであっても良い。
【００２９】
ドレンパン１３Ａは、間接気化エレメント１１の下側に配置され、給水口１２ａから供給されて、間接気化エレメント１１で消費されなかった水等を受ける。排水口１２ｂは、例えば、ドレンパン１３Ａの水量が所定量を超えないように排水を行う位置に備えられる。また、例えば電磁弁で構成される排水バルブ１２ｄが接続され、ドレンパン１３Ａの水を全て排出できる構成を備える。
【００３０】
なお、給排水装置１２としては、間接気化エレメント１１の下側に給水槽を備えると共に、給水槽に給水口と排水口を備えて、間接気化エレメント１１の下側から給水が行われる構成としても良い。
【００３１】
給気流路９Ａは、外気吸込口５から給気ファン２及び間接気化エレメント１１のプロダクトエア流路１１ｂを通り、給気吹出口６へ連通する。排気流路１０Ａは、還気吸込口７から間接気化エレメント１１のワーキングエア流路１１ａ及び排気ファン３を通り、排気吹出口８へ連通する。なお、間接気化冷却エレメント１１の前の給気流路９Ａに、エアを攪拌する拡散板を備えても良い。
【００３２】
ここで、本例の間接気化エレメント１１では、プロダクトエア流路１１ｂはプロダクトエアＰＡの流れに沿って前後面に空気の出入口が配置され、プロダクトエアＰＡとワーキングエアＷＡを対向流としたことで、プロダクトエア流路１１ｂの出口側にワーキングエア流路１１ａの入口が配置される。
【００３３】
これにより、図１に示すように還気吸込口７を装置の下部に備える構成では、排気流路１０Ａは、給気流路９Ａとは独立して、例えば、間接気化エレメント１１の側方を通り、ワーキングエア流路１１ａと連通する。
【００３４】
また、ワーキングエア流路１１ａの入口及び出口は、間接気化エレメント１１の上側もしくは下側に配置されて、プロダクトエア流路１１ｂの入口及び出口と分離している。
【００３５】
なお、還気吸込口７は、例えば給気吹出口６と並列した位置に備えて、排気流路１０Ａを間接気化エレメント１１の側方を通さずに、間接気化エレメント１１のワーキングエア流路１１ａと連通させても良い。
【００３６】
給気流路９Ａは、例えば間接気化冷却ユニット４の上流側に給気流量調整ダンパ１４を備える。給気流量調整ダンパ１４は流量制御手段を構成し、開閉によりエアの流量を調整するダンパと、ダンパを駆動するモータを備え、給気流量調整ダンパ１４の開度を調整することで、給気流路９Ａを流れるエアの流量が調整される。これにより、間接気化冷却ユニット４を構成する間接気化エレメント１１のプロダクトエア流路１１ｂを流れるプロダクトエアＰＡの流量が調整される。
【００３７】
排気流路１０Ａは、例えば間接気化冷却ユニット４の上流側に排気流量調整ダンパ１５を備える。排気流量調整ダンパ１５は流量制御手段を構成し、開閉によりエアの流量を調整するダンパと、ダンパを駆動するモータを備え、排気流量調整ダンパ１５の開度を調整することで、排気流路１０Ａを流れるエアの流量が調整される。これにより、間接気化冷却ユニット４を構成する間接気化エレメント１１のワーキングエア流路１１ａを流れるワーキングエアＷＡの流量が調整される。
【００３８】
また、給気流路９Ａは、例えば間接気化冷却ユニット４の上流側に空気清浄装置として空気清浄フィルタ１６を備える。給気流路９Ａに空気清浄フィルタ１６を備えることで、外気ＯＡから粉塵等が除去された給気ＳＡが室内に供給される。また、空気清浄フィルタ１６を間接気化冷却ユニット４の上流側に配置することで、間接気化エレメント１１への粉塵等の侵入を防ぐ。
【００３９】
また、空気清浄フィルタは、図示しないが還気吸込口７にも備えられる。更に、外気吸込口５にも空気清浄フィルタを備えることとしても良い。
【００４０】
更に、給気流路９Ａは、給気吹出口６に温度センサ１７を備えることで、給気温度が検出される。なお、給気ファン２及び排気ファン３は間接気化冷却ユニット４の下流側に備えても良い。
【００４１】
＜間接気化エレメントの構成＞
図２及び図３は間接気化エレメント１１の一例を示す構成図で、図２は間接気化エレメント１１の全体斜視図、図３（ａ）はワーキングエア流路１１ａの構成を示す要部分解斜視図、図３（ｂ）はプロダクトエア流路１１ｂの構成を示す要部分解斜視図である。なお、図２及び図３において、ワーキングエア流路１１ａ及びプロダクトエア流路１１ｂの数は一例である。
【００４２】
また、図４は間接気化エレメント１１の動作例を示す説明図で、図４（ａ）は冷却原理を示し、図４（ｂ）は冷却動作結果例を示す。
【００４３】
間接気化エレメント１１は、図３（ａ）に示すようにワーキングエア流路１１ａが形成されたウエットセル２１と、図３（ｂ）に示すようにプロダクトエア流路１１ｂが形成されたドライセル２２が、図２に示すように熱交換隔壁２３を挟んで積層される。
【００４４】
ウエットセル２１は、図３（ａ）に示すように、複数本の仕切り２１ａで仕切られて複数のワーキングエア流路１１ａが形成された熱交換部２１ｂと、ワーキングエアＷＡの流れる方向に沿って熱交換部２１ｃの前後に形成されたＷＡ導入部２１ｃ及びＷＡ排出部２１ｄを備える。
【００４５】
ドライセル２２は、図３（ｂ）に示すように、複数本の仕切り２２ａで仕切られて複数のプロダクトエア流路１１ｂを備える。そして、ウエットセル２１とドライセル２２は、熱交換部２１ｂにおけるワーキングエア流路１１ａと、プロダクトエア流路１１ｂが略平行となる向きで、熱交換隔壁２３を挟んで積層される。
【００４６】
なお、略平行とは、ワーキングエア流路１１ａとプロダクトエア流路１１ｂが数度程度傾斜しているような状態も含むものである。
【００４７】
これにより、間接気化エレメント１１は、プロダクトエア流路１１ｂを通るプロダクトエアＰＡの流れに沿った前面に、プロダクトエア流路１１ｂと連通したＰＡ入口２２ｂが形成され、プロダクトエアＰＡの流れに沿った後面に、プロダクトエア流路１１ｂと連通したＰＡ出口２２ｃが形成される。
【００４８】
また、間接気化エレメント１１は、プロダクトエアＰＡとワーキングエアＷＡが対向流であるので、ＰＡ出口２２ｃ側の上面に、ＷＡ導入部２１ｃを介してワーキングエア流路１１ａと連通したＷＡ入口２１ｅが形成され、ＰＡ入口２２ｂ側の上面に、ＷＡ排出部２１ｄを介してワーキングエア流路１１ｂと連通したＷＡ出口２１ｆが形成される。
【００４９】
ＷＡ導入部２１ｃは、本例では最下端の仕切り２１ａ以外の仕切り２１ａを、所定のワーキングエア流量が得られる例えば一定の長さで非形成として、ＷＡ入口２１ｅから各ワーキングエア流路１１ａへと上下に連通した流路が形成される。
【００５０】
また、ＷＡ導入部２１ｃは、ＰＡ出口２２ｃに隣接した間接気化エレメント１１の後面に、ワーキングエアＷＡのプロダクトエアＰＡへの混合を防ぐ遮蔽部材２１ｇが上下に連続して形成される。
【００５１】
ＷＡ排出部２１ｄは、本例では最下端の仕切り２１ａ以外の仕切り２１ａを、所定のワーキングエア流量が得られる例えば一定の長さで非形成として、ＷＡ出口２１ｆから各ワーキングエア流路１１ａへと上下に連通した流路が形成される。
【００５２】
また、ＷＡ排出部２１ｄは、ＰＡ入口２２ｂに隣接した間接気化エレメント１１の前面に、ワーキングエアＷＡのプロダクトエアＰＡへの混合を防ぐ遮蔽部材２１ｈが上下に連続して形成される。
【００５３】
熱交換隔壁２３は、図４（ａ）に示すように、ポリエチレンフィルム等で形成された防湿部材２３ａと、パルプ等で形成された湿潤層２３ｂを備え、防湿部材２３ａの一例である防湿フィルムがドライセル２２に面し、湿潤層２３ｂがウエットセル２１に面する。
【００５４】
なお、この防湿部材は防湿フィルムでなくても良く、アルミニウム、銅、ステンレス等のシート状部材や、それに樹脂による加工を施したものであっても良く、金属部材とコーティング等を組み合わせたものでも良く、防湿性と熱伝導性を有すればどのようなものであっても良い。
【００５５】
湿潤層２３ｂは湿潤部材を構成し、例えば、図１で説明した給排水装置１２から水の供給を受けることで、間接気化エレメント１１は、ワーキングエア流路１１ａが湿潤な状態となる。
【００５６】
これに対して、プロダクトエア流路１１ｂは、防湿部材２３ａでワーキングエア流路１１ａと隔離されるので、ワーキングエア流路１１ａの湿度とは関係なく、プロダクトエアＰＡの湿度（絶対湿度）に応じた湿度に保たれる。
【００５７】
これにより、ワーキングエア流路１１ａを流れるワーキングエアＷＡと、プロダクトエア流路１１ｂを流れるプロダクトエアＰＡの間で、熱交換隔壁２３を介して顕熱交換が行われる。
【００５８】
次に、図４（ａ），図４（ｂ）を参照に間接気化エレメント１１による冷却原理の概要を説明する。ワーキングエア流路１１ａに面した湿潤層２３ｂは、図１に示す給排水装置１２によって水が供給される。これにより、ワーキングエア流路１１ａを通るワーキングエアＷＡと湿潤層２３ｂの温度差によって水分が気化し、ワーキングエアＷＡが冷却される。
【００５９】
ワーキングエアＷＡが冷却されると、ワーキングエア流路１１ａと熱交換隔壁２３で仕切られたプロダクトエア流路１１ｂを通るプロダクトエアＰＡは、熱交換隔壁２３を通して冷熱を受けて冷却される。
【００６０】
ここで、熱交換隔壁２３を構成する防湿部材２３ａは水分を通さないことから、プロダクトエアＰＡはプロダクトエア流路１１ｂを通過しても絶対湿度が変化しない。なお、ワーキングエアＷＡは、ワーキングエア流路１１ａを通過すると高湿度になる。
【００６１】
一例として、プロダクトエアＰＡ及びワーキングエアＷＡの入力温度が３０℃、絶対湿度が１０ｇ／ｋｇ（ＤＡ：ドライエア）、相対湿度が約４０％ＲＨとした場合、プロダクトエアＰＡの出口温度は２０℃と下がる。なお相対湿度は温度が下がるため約７０％ＲＨと上がるが、絶対湿度は１０ｇ／ｋｇ（ＤＡ）であり、変化しない。
【００６２】
＜間接気化エレメントの冷却原理＞
間接気化エレメント１１の冷却原理は、プロダクトエアＰＡの温度Ｔｄ、絶対湿度Ｘｄ、風量Ｇｄ、ワーキングエアＷＡの温度Ｔｗ、絶対湿度Ｘｗ、風量Ｇｗ、その他パラメータを用いて以下の様に表せる。
【００６３】
（１）エネルギー保存則より
【００６４】
【数１】
2007139333.tif 000003
【００６５】
（２）質量保存則より
【００６６】
【数２】
2007139333.tif 000004
【００６７】
（３）ワーキングエアＷＡの流量とプロダクトエアＰＡの出口温度の関係
上述した式より、間接気化エレメント１１におけるワーキングエアＷＡの流量とプロダクトエアＰＡの出口温度の関係を求め、図５のグラフに示す。
【００６８】
図５はワーキングエアＷＡの流量とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ：ドライエア）、入口温度３０℃固定、プロダクトエアＰＡの流量は５０ｍ3／ｈｒ固定とする。
【００６９】
図５より、ワーキングエアＷＡの流量が高い程、プロダクトエアＰＡの出口温度が低下していることが判る。なお、間接気化エレメント１１で冷却されたエアには温度分布があるが、各例の温度データは最低温度で記載している。
【００７０】
（４）プロダクトエアＰＡの流量とプロダクトエアＰＡの出口温度の関係
上述した式より、間接気化エレメント１１におけるプロダクトエアＰＡの流量とプロダクトエアＰＡの出口温度の関係を求め、図６のグラフに示す。
【００７１】
図６はプロダクトエアＰＡの流量とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ）、入口温度３０℃固定、ワーキングエアＷＡの流量は５０ｍ3／ｈｒ固定とする。
【００７２】
図６より、プロダクトエアＰＡの流量が低い程、プロダクトエアＰＡの出口温度が低下していることが判る。
【００７３】
（５）ワーキングエアＷＡ及びプロダクトエアＰＡの入口温度とプロダクトエアＰＡの出口温度の関係
上述した式より、間接気化エレメント１１におけるワーキングエアＷＡ及びプロダクトエアＰＡの入口温度とプロダクトエアＰＡの出口温度の関係を求め、図７のグラフに示す。
【００７４】
図７はワーキングエアＷＡ及びプロダクトエアＰＡの入口温度とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ）、流量は５０ｍ3／ｈｒ固定とする。
【００７５】
図７より、ワーキングエアＷＡ及びプロダクトエアＰＡの入口温度が高い程、プロダクトエアＰＡの出口温度が上昇していることが判る。
【００７６】
（６）ワーキングエアＷＡ及びプロダクトエアＰＡの入口温度と水の消費量の関係
上述した式より、間接気化エレメント１１におけるワーキングエアＷＡ及びプロダクトエアＰＡの入口温度と水の消費量の関係を求め、図８のグラフに示す。
【００７７】
図８はワーキングエアＷＡ及びプロダクトエアＰＡの入口温度と水の消費量の関係を示すグラフで、間接気化エレメント１１に入力されるワーキングエアＷＡとプロダクトエアＰＡの条件は、絶対湿度５．２６ｇ／ｋｇ（ＤＡ）、流量は５０ｍ3／ｈｒ固定とする。
【００７８】
図８より、ワーキングエアＷＡ及びプロダクトエアＰＡの入口温度が高い程、冷却に使用する水の消費量が多くなることが判る。
【００７９】
これにより、図７及び図８から、ワーキングエアＷＡ及びプロダクトエアＰＡの入口温度を下げれば、プロダクトエアＰＡの出口温度が下がり、また、水の消費量が減ることが判る。
【００８０】
（７）ワーキングエアＷＡ及びプロダクトエアＰＡの入口湿度とプロダクトエアＰＡの出口温度の関係
上述した式より、間接気化エレメント１１におけるワーキングエアＷＡ及びプロダクトエアＰＡの入口湿度とプロダクトエアＰＡの出口温度の関係を求め、図９のグラフに示す。
【００８１】
図９はワーキングエアＷＡ及びプロダクトエアＰＡの入口湿度とプロダクトエアＰＡの出口温度の関係を示すグラフで、間接気化エレメント１１に入力されるワーキングエアＷＡとプロダクトエアＰＡの条件は、温度３０℃、流量は５０ｍ3／ｈｒ固定とする。
【００８２】
図９より、ワーキングエアＷＡ及びプロダクトエアＰＡの入口湿度が低い程、プロダクトエアＰＡの出口温度が低下していることが判る。
【００８３】
以上のことから、間接気化エレメント１１では、ワーキングエアＷＡの流量、プロダクトエアＰＡの流量、ワーキングエアＷＡの入口温度、プロダクトエアＰＡの入口温度、ワーキングエアＷＡの入口湿度、プロダクトエアＰＡの入口湿度等を制御することで、プロダクトエアＰＡの出口温度を制御できることが判る。
【００８４】
＜間接気化冷却ユニットを備えた換気装置１Ａの動作＞
次に、図１等を参照に換気装置１Ａの動作について説明する。換気装置１Ａは、給気ファン２が駆動されると、給気流路９Ａにおいて給気吹出口６へ向かうエアの流れが生成される。これにより、外気ＯＡが外気吸込口５から吸い込まれ、空気清浄フィルタ１６及び間接気化エレメント１１のプロダクトエア流路１１ｂを通り、給気吹出口６から給気ＳＡとして室内に供給される。
【００８５】
また、排気ファン３が駆動されると、排気流路１０Ａにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。
【００８６】
従って、換気装置１Ａでは、外気ＯＡがプロダクトエアＰＡとなり、還気ＲＡがワーキングエアＷＡとなる。
【００８７】
図２〜図４で説明したように、間接気化エレメント１１では、外気ＯＡがＰＡ入口２２ｂからプロダクトエア流路１１ｂに導入され、ＰＡ出口２２ｃから給気ＳＡとして排出される。また、還気ＲＡがＷＡ入口２１ｅからＷＡ導入部２１ｃを介してワーキングエア流路１１ａに導入され、ＷＡ排出部２１ｄを介してＷＡ出口２１ｆから排気ＥＡとして排出される。
【００８８】
ここで、給排水装置１２の給水バルブ１２ｃを開けて、給水口１２ａから間接気化エレメント１１に給水が行われ、図４に示す湿潤層２３ｂが常に水分を含む状態とする。
【００８９】
これにより、間接気化エレメント１１では、ワーキングエア流路１１ａを通るワーキングエアＷＡが、湿潤層２３ｂに供給された水の気化熱で冷却され、ワーキングエアＷＡが冷却されると、プロダクトエア流路１１ｂを通るプロダクトエアＰＡが、熱交換隔壁２３を介してワーキングエアＷＡの冷熱を受けて冷却される。
【００９０】
そして、ワーキングエア流路１１ａとプロダクトエア流路１１ｂの間では湿度の移動は起こらないので、間接気化エレメント１１のプロダクトエア流路１１ｂを通った外気ＯＡは、湿度（絶対湿度）は変化せずに温度は下がる。
【００９１】
よって、間接気化エレメント１１のプロダクトエア流路１１ｂを通過した外気ＯＡを、給気吹出口６から給気ＳＡとして吹き出すことで、室内の温度を下げることができる。
【００９２】
なお、間接気化エレメント１１のワーキングエア流路１１ａを通った還気ＲＡは高湿度のエアとなるので、排気吹出口８から排気ＥＡとして排出する。
【００９３】
換気装置１Ａでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【００９４】
これにより、給気流量調整ダンパ１４と排気流量調整ダンパ１５の何れかを作動させて、プロダクトエアＰＡの流量かワーキングエアＷＡの流量を調整することで、図５及び図６で説明したように、間接気化エレメント１１におけるプロダクトエアＰＡの出口温度が制御される。よって、給気吹出口６からの給気温度が制御される。
【００９５】
すなわち、排気流量調整ダンパ１５の開度を制御して、ワーキングエアＷＡの流量を増加させると、間接気化エレメント１１におけるプロダクトエアＰＡの出口温度が低下する。よって、給気吹出口６からの給気温度を下げることができる。
【００９６】
また、排気流量調整ダンパ１５の開度を制御して、ワーキングエアＷＡの流量を減少させると、間接気化エレメント１１におけるプロダクトエアＰＡの出口温度が上昇する。よって、給気吹出口６からの給気温度を上げることができる。
【００９７】
更に、給気流量調整ダンパ１４の開度を制御して、プロダクトエアＰＡの流量を増加させると、間接気化エレメント１１におけるプロダクトエアＰＡの出口温度が上昇する。よって、給気吹出口６からの給気温度を上げることができる。
【００９８】
また、給気流量調整ダンパ１４の開度を制御して、プロダクトエアＰＡの流量を減少させると、間接気化エレメント１１におけるプロダクトエアＰＡの出口温度が低下する。よって、給気吹出口６からの給気温度を下げることができる。
【００９９】
このように、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０１００】
また、給気流量調整ダンパ１４と排気流量調整ダンパ１５の双方を作動させて、プロダクトエアＰＡの流量及びワーキングエアＷＡの流量を調整することでも、間接気化エレメント１１におけるプロダクトエアＰＡの出口温度が制御され、給気吹出口６からの給気温度が制御される。
【０１０１】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１０２】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１０３】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１０４】
上述した温度制御は、後述する設定スイッチで手動で行うこともできるし、温度センサ１７等を利用して、温度に合わせて自動調整することも可能である。
【０１０５】
なお、夏場に換気装置１Ａを使用することで、室内の温度が下げられる。よって、還気ＲＡの温度も低い。図７で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０１０６】
そして、還気ＲＡを利用することで、室内のエアを屋外に排気しながら、外気を冷却して取り入れることができ、換気装置１Ａは換気を行いながら冷房を行う機能を有することになる。
【０１０７】
＜第１の実施の形態の換気装置１Ｄの構成＞
図１０は第１の実施の形態の換気装置１Ｄの一例を示す構成図である。第１の実施の形態の換気装置１Ｄは、給気ファン２と排気ファン３と間接気化冷却ユニット４と、熱交換ユニット３１を備える。なお、第１の実施の形態の換気装置１Ｄにおいて、換気装置１Ａと同じ構成要素については、同じ番号を付して説明する。
【０１０８】
熱交換ユニット３１は、熱交換エレメント３２と図示しないフィルタ等を備える。熱交換エレメント３２は、第１の流路３２ａが形成された熱交換素子材と第２の流路３２ｂが形成された熱交換素子材を、第１の流路３２ａと第２の流路３２ｂが直交する向きで積層した直交流式熱交換器である。第１の流路３２ａと第２の流路３２ｂは図示しない隔壁で仕切られ、第１の流路３２ａと第２の流路３２ｂに供給されたエアの間で顕熱交換が行われる。なお、熱交換ユニット３１を断熱材で囲う構成としても良い。そして、間接気化冷却ユニット４と、熱交換ユニット３１を独立した断熱材で囲うことで、メンテナンス性等が向上する。
【０１０９】
また、熱交換ユニット３１として、顕熱（温度）交換を行う熱交換エレメント３２を備えた構成としたが、顕熱交換に加えて潜熱（湿度）交換を行ういわゆる全熱交換エレメントを備えた構成としても良い。
【０１１０】
給気流路９Ｄは、外気吸込口５から給気ファン２、熱交換ユニット３１を構成する熱交換エレメント３２の第１の流路３２ａ及び間接気化冷却ユニット４を構成する間接気化エレメント１１のプロダクトエア流路１１ｂを通り、給気吹出口６へ連通する。
【０１１１】
第２の排気流路１０Ｅは、還気吸込口７から間接気化エレメント１１のワーキングエア流路１１ａ及び排気ファン３を通り、排気吹出口８へ連通する。間接気化エレメント１１のワーキングエア流路１１ａとプロダクトエア流路１１ｂは、図２〜図４で説明したように略平行で、ワーキングエアＷＡとプロダクトエアＰＡを対向流としている。
【０１１２】
また、第１の排気流路１０Ｆは、還気吸込口７から熱交換エレメント３２の第２の流路３２ｂ及び排気ファン３を通り、排気吹出口８へ連通する。
【０１１３】
給気流路９Ｄは、例えば熱交換ユニット３１の上流側に給気流量調整ダンパ１４を備える。給気流量調整ダンパ１４の開度を調整することで、給気流路９Ｄを流れるエアの流量が調整される。これにより、間接気化エレメント１１のプロダクトエア流路１１ｂを流れるプロダクトエアＰＡの流量が調整される。
【０１１４】
第２の排気流路１０Ｅは、例えば間接気化冷却ユニット４の上流側に排気流量調整ダンパ１５を備える。排気流量調整ダンパ１５の開度を調整することで、第２の排気流路１０Ｅを流れるエアの流量が調整される。これにより、間接気化エレメント１１のワーキングエア流路１１ａを流れるワーキングエアＷＡの流量が調整される。
【０１１５】
また、給気流路９Ｄは、例えば熱交換ユニット３１の上流側に空気清浄フィルタ１６を備える。空気清浄フィルタ１６を熱交換ユニット３１の上流側に配置することで、熱交換エレメント３２及び間接気化エレメント１１への粉塵等の侵入を防ぐ。
【０１１６】
更に、給気流路９Ｄは、給気吹出口６に温度センサ１７を備えることで、給気温度が検出される。
【０１１７】
＜第１の実施の形態の換気装置１Ｄの動作＞
次に、図１０等を参照に第１の実施の形態の換気装置１Ｄの動作について説明する。まず、冷房動作から説明すると、換気装置１Ｄは、給気ファン２が駆動されると、給気流路９Ｄにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【０１１８】
また、排気ファン３が駆動されると、第２の排気流路１０Ｅ及び第１の排気流路１０Ｆにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂを通り、排気吹出口８から排気ＥＡとして屋外に排出される。
【０１１９】
従って、換気装置１Ｄでは、外気ＯＡがプロダクトエアＰＡとなり、還気ＲＡがワーキングエアＷＡとなる。
【０１２０】
熱交換エレメント３２では、第１の流路３２ａを通る外気ＯＡと、第２の流路３２ｂを通る還気ＲＡの間で熱交換が行われる。夏場に換気装置１Ｄを使用することで、室内の温度が下げられ、還気ＲＡの温度は外気ＯＡの温度よりも低い。
【０１２１】
よって、熱交換エレメント３２の第１の流路３２ａを通った外気ＯＡは温度が下がり、第２の流路３２ｂを通った還気ＲＡは温度が上がる。
【０１２２】
図２〜図４で説明したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１２３】
よって、間接気化エレメント１１のプロダクトエア流路１１ｂを通過した外気ＯＡを、給気吹出口６から給気ＳＡとして吹き出すことで、室内の温度を下げることができる。
【０１２４】
ここで、間接気化エレメント１１のプロダクトエア流路１１ｂを通る外気ＯＡは、前段の熱交換ユニット３１で温度が下げられている。これにより、図７で説明したように、プロダクトエアＰＡの入力温度が低いと、プロダクトエアＰＡの出口温度が下がるので、間接気化冷却ユニット４の前段に熱交換ユニット３１を配置して、プロダクトエアＰＡの入力温度を下げることで、効率的にプロダクトエアＰＡの出口温度を下げて、給気温度を制御することができる。
【０１２５】
また、図７で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０１２６】
なお、間接気化エレメント１１のワーキングエア流路１１ａを通った還気ＲＡは高湿度のエアとなるので、排気吹出口８から排気ＥＡとして排出する。また、熱交換エレメント３２の第２の流路３２ｂを通った還気ＲＡは温度が上がるので、排気吹出口８から排気ＥＡとして排出する。
【０１２７】
換気装置１Ｄでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１２８】
これにより、熱交換ユニット３１を備えた換気装置１Ｄでも、給気流量調整ダンパ１４と排気流量調整ダンパ１５の何れかを作動させて、プロダクトエアＰＡの流量かワーキングエアＷＡの流量を調整することで、図５及び図６で説明したように、間接気化エレメント１１におけるプロダクトエアＰＡの出口温度が制御される。よって、給気吹出口６からの給気温度が制御される。
【０１２９】
例えば、ワーキングエアＷＡの流量を増加させると、間接気化エレメント１１におけるプロダクトエアＰＡの出口温度が低下することで、給気吹出口６からの給気温度を下げることができる。
【０１３０】
また、ワーキングエアＷＡの流量を減少させると、間接気化エレメント１１におけるプロダクトエアＰＡの出口温度が上昇することで、給気吹出口６からの給気温度を上げることができる。
【０１３１】
なお、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０１３２】
また、給気流量調整ダンパ１４と排気流量調整ダンパ１５の双方を作動させて、プロダクトエアＰＡの流量及びワーキングエアＷＡの流量を調整することで、間接気化エレメント１１におけるプロダクトエアＰＡの出口温度が制御され、給気吹出口６からの給気温度が制御される。
【０１３３】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１３４】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１３５】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１３６】
このように、換気装置１Ｄは、熱交換ユニット３１を備え、熱交換ユニット３１と間接気化冷却ユニット４で還気ＲＡを利用することで、冷却能力が向上する。また、還気ＲＡを利用することで、室内のエアを屋外に排気しながら、外気を冷却して取り入れることができ、換気装置１Ｄは換気を行いながら冷房を行う機能を有することになる。
【０１３７】
また、建築基準法によって、住宅の空気を所定時間で入れ替えることができる換気設備の設置が必要となり、ファンを利用して強制的に換気が行えるようにした換気装置等を利用して、所定時間で部屋の空気の入れ替えができるようにしている。
【０１３８】
本例の換気装置１Ｄは、換気を行いながら冷房を行う機能を有するので、別の換気装置を備えることなく、還気ＲＡの流量と、給気ＳＡの流量を調整することで、所定時間で部屋の空気を入れ替えるような換気動作が可能で、２４時間換気装置としても利用できる。このため、換気装置１Ｄでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１３９】
２４時間換気機能は、建物内の換気対象エリアの所定回数換気（例えば、０．５回／時間）を満たすような連続的または断続的に常時換気をする機能である。これは、換気装置１のみで所定換気回数を満たしても良いし、他の換気装置の換気量を合わせて所定回数換気を満たすようしても良い。また、冬季等で、所定換気回数を少なくするため、操作手段のスイッチや温度を検出して、手動または自動で切り換えられるようにして、２４時間換気風量を小さくなるようにしても良い。
【０１４０】
図１１は第１の実施の形態の換気装置１Ｄの暖房動作時のエアの流れを示す概略構成図で、次に、暖房動作について説明する。暖房動作時は、排気流量調整ダンパ１５を閉じ、第２の排気流路１０ＥによるワーキングエアＷＡの供給を停止する。また、給排水装置１２の給水バルブ１２ｃを閉じ、間接気化エレメント１１への給水を停止する。
【０１４１】
給気ファン２が駆動されると、給気流路９Ｄにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【０１４２】
また、排気ファン３が駆動されると、第１の排気流路１０Ｆにおいて排気吹出口８へ向かうエアの流れが生成される。これにより、室内からの還気ＲＡが還気吸込口７から吸い込まれ、熱交換エレメント３２の第２の流路３２ｂを通り、排気吹出口８から排気ＥＡとして屋外に排出される。
【０１４３】
熱交換エレメント３２では、第１の流路３２ａを通る外気ＯＡと、第２の流路３２ｂを通る還気ＲＡの間で熱交換が行われる。冬に換気装置１Ｄを使用することで、室内の温度が上げられ、還気ＲＡの温度は外気ＯＡの温度よりも高い。
【０１４４】
よって、熱交換エレメント３２の第１の流路３２ａを通った外気ＯＡは温度が上がる。
【０１４５】
間接気化冷却ユニット４は、ワーキングエアＷＡの供給が停止しているので、プロダクトエア流路１１ｂを通るプロダクトエアＰＡは冷却されない。これにより、熱交換ユニット３１で加温された外気ＯＡが、給気ＳＡとして給気吹出口６から給気される。
【０１４６】
暖房運転時でも、還気ＲＡを利用することで、室内のエアを屋外に排気しながら、外気を加温して取り入れることができ、換気装置１Ｄは換気を行いながら暖房を行う機能を有することになる。そして、還気ＲＡの流量と、給気ＳＡの流量を調整することで、所定時間で部屋の空気を入れ替えるような換気動作が可能で、２４時間換気装置としても利用できる。
【０１４７】
＜第２の実施の形態の換気装置１Ｅの構成＞
図１２は第２の実施の形態の換気装置１Ｅの一例を示す構成図である。第２の実施の形態の換気装置１Ｅは、熱交換ユニット３１を備えた換気装置１Ｅにおいて、間接気化冷却ユニット４を構成する間接気化エレメント１１のワーキングエアＷＡに外気ＯＡを使用するものである。なお、第２の実施の形態の換気装置１Ｅにおいて、第１の実施の形態の換気装置１Ｄと同じ構成要素については、同じ番号を付して説明する。
【０１４８】
換気装置１Ｅは、外気吸込口５から給気ファン２、熱交換エレメント３２の第１の流路３２ａ及び間接気化エレメント１１のプロダクトエア流路１１ｂを通り、給気吹出口６へ連通する給気流路９Ｅを備える。
【０１４９】
また、換気装置１Ｅは、熱交換ユニット３１より下流側で給気流路９Ｅと分岐し、間接気化エレメント１１のワーキングエア流路１１ａ及び排気ファン３を通り、排気吹出口８へ連通する第２の排気流路１０Ｇと、還気吸込口７から熱交換エレメント３２の第２の流路３２ｂ及び排気ファン３を通り、排気吹出口８へ連通した第１の排気流路１０Ｈを備える。
【０１５０】
間接気化エレメント１１のワーキングエア流路１１ａとプロダクトエア流路１１ｂは、図２〜図４で説明したように略平行で、ワーキングエアＷＡとプロダクトエアＰＡを対向流としている。
【０１５１】
給気流路９Ｅは、第２の排気流路１０Ｇとの分岐位置より下流側で、例えば間接気化冷却ユニット４の上流側に給気流量調整ダンパ１４を備える。また、第２の排気流路１０Ｇは、給気流路９Ｅとの分岐位置より下流側で、例えば間接気化冷却ユニット４の上流側に排気流量調整ダンパ１５を備える。
【０１５２】
給気流量調整ダンパ１４の開度を調整することで、給気流路９Ｅを流れるエアの流量が調整される。これにより、間接気化エレメント１１のプロダクトエア流路１１ｂを流れるプロダクトエアＰＡの流量が調整される。
【０１５３】
また、排気流量調整ダンパ１５の開度を調整することで、第２の排気流路１０Ｇを流れるエアの流量が調整される。これにより、間接気化エレメント１１のワーキングエア流路１１ａを流れるワーキングエアＷＡの流量が調整される。
【０１５４】
なお、給気流路９Ｅは、例えば熱交換ユニット３１より上流側に空気清浄フィルタ１６を備える。更に、給気流路９Ｅは、給気吹出口６に温度センサ１７を備える。
【０１５５】
＜第２の実施の形態の換気装置１Ｅの動作＞
次に、図１２等を参照に第２の実施の形態の換気装置１Ｅの動作について説明する。まず、冷房動作から説明すると、換気装置１Ｅは、給気ファン２が駆動されると、給気流路９Ｅにおいて給気吹出口６へ向かうエアの流れが生成される。これにより、外気ＯＡが外気吸込口５から吸い込まれ、熱交換エレメント３２の第１の流路３２ａ及び間接気化エレメント１１のプロダクトエア流路１１ｂを通り、給気吹出口６から給気ＳＡとして室内に供給される。
【０１５６】
また、排気ファン３が駆動されると、第２の排気流路１０Ｇ及び第１の排気流路１０Ｈにおいて排気吹出口８へ向かうエアの流れが生成される。これにより、第２の排気流路１０Ｇによって外気ＯＡの一部が間接気化エレメント１１のワーキングエア流路１１ａを通り、排気吹出口８から排気ＥＡとして屋外に排出される。また、第１の排気流路１０Ｈによって、室内からの還気ＲＡが還気吸込口７から吸い込まれ、熱交換エレメント３２の第２の流路３２ｂを通り、排気吹出口８から排気ＥＡとして屋外に排出される。
【０１５７】
従って、換気装置１Ｅでは、外気ＯＡがプロダクトエアＰＡ及びワーキングエアＷＡとなる。
【０１５８】
熱交換エレメント３２では、第１の流路３２ａを通る外気ＯＡと、第２の流路３２ｂを通る還気ＲＡの間で熱交換が行われる。夏場に換気装置１Ｅを使用することで、室内の温度が下げられ、還気ＲＡの温度は外気ＯＡの温度よりも低い。
【０１５９】
よって、熱交換エレメント３２の第１の流路３２ａを通った外気ＯＡは温度が下がり、第２の流路３２ｂを通った還気ＲＡは温度が上がる。
【０１６０】
図２〜図４で説明したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１６１】
よって、間接気化エレメント１１のプロダクトエア流路１１ｂを通過した外気ＯＡを、給気吹出口６から給気ＳＡとして吹き出すことで、室内の温度を下げることができる。
【０１６２】
ここで、間接気化エレメント１１のプロダクトエア流路１１ｂを通る外気ＯＡは、前段の熱交換ユニット３１で温度が下げられている。これにより、図７で説明したように、プロダクトエアＰＡの入力温度が低いと、プロダクトエアＰＡの出口温度が下がるので、間接気化冷却ユニット４の前段に熱交換ユニット３１を配置して、プロダクトエアＰＡの入力温度を下げることで、効率的にプロダクトエアＰＡの出口温度を下げて、給気温度を制御することができる。
【０１６３】
また、図７で説明したように、ワーキングエアＷＡの入力温度が低いと、プロダクトエアＰＡの出口温度が下がるので、熱交換ユニット３１で冷却された外気ＯＡの一部をワーキングエアＷＡとして利用することで、効率的にプロダクトエアＰＡの出口温度を下げて、給気温度を制御することができる。
【０１６４】
なお、間接気化エレメント１１のワーキングエア流路１１ａを通った外気ＯＡは高湿度のエアとなるので、排気吹出口８から排気ＥＡとして排出する。また、熱交換エレメント３２の第２の流路３２ｂを通った還気ＲＡは温度が上がるので、排気吹出口８から排気ＥＡとして排出する。
【０１６５】
換気装置１Ｅでは、第１の実施の形態の換気装置１Ｄと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１６６】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図５及び図６で説明したように、間接気化エレメント１１におけるプロダクトエアＰＡの出口温度が制御される。よって、給気吹出口６からの給気温度が制御される。
【０１６７】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１６８】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１６９】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１７０】
換気装置１Ｅは、熱交換ユニット３１を備え、熱交換ユニット３１で還気ＲＡを利用して外気ＯＡを冷却し、熱交換ユニット３１で冷却された外気ＯＡを間接気化冷却ユニット４で利用することで、冷却能力が向上する。また、還気ＲＡを利用することで、室内のエアを屋外に排気しながら、外気を冷却して取り入れることができ、換気装置１Ｅは換気を行いながら冷房を行う機能を有することになる。
【０１７１】
そして、還気ＲＡの流量と、給気ＳＡの流量を調整することで、所定時間で部屋の空気を入れ替えるような換気動作が可能である。このため、換気装置１Ｅでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１７２】
図１３は第２の実施の形態の換気装置１Ｅの暖房動作時のエアの流れを示す概略構成図で、次に、暖房動作について説明する。図１３（ａ）に示す例では、暖房動作時は、排気流量調整ダンパ１５を閉じ、第２の排気流路１０ＧによるワーキングエアＷＡの供給を停止する。また、給排水装置１２の給水バルブ１２ｃを閉じ、間接気化エレメント１１への給水を停止する。
【０１７３】
給気ファン２が駆動されると、給気流路９Ｅにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【０１７４】
また、排気ファン３が駆動されると、第１の排気流路１０Ｈにおいて排気吹出口８へ向かうエアの流れが生成される。これにより、室内からの還気ＲＡが還気吸込口７から吸い込まれ、熱交換エレメント３２の第２の流路３２ｂを通り、排気吹出口８から排気ＥＡとして屋外に排出される。
【０１７５】
熱交換エレメント３２では、第１の流路３２ａを通る外気ＯＡと、第２の流路３２ｂを通る還気ＲＡの間で熱交換が行われる。冬に換気装置１Ｅを使用することで、室内の温度が上げられ、還気ＲＡの温度は外気ＯＡの温度よりも高い。
【０１７６】
よって、熱交換エレメント３２の第１の流路３２ａを通った外気ＯＡは温度が上がる。
【０１７７】
間接気化冷却ユニット４は、ワーキングエアＷＡの供給が停止しているので、プロダクトエア流路１１ｂを通るプロダクトエアＰＡは冷却されない。これにより、熱交換ユニット３１で加温された外気ＯＡが、給気ＳＡとして給気吹出口６から給気される。
【０１７８】
図１３（ｂ）に示す例では、間接気化冷却ユニット４の下流で第２の排気流路１０Ｇから分岐し、間接気化冷却ユニット４の下流で給気流路９Ｅと連通した加湿給気流路９Ｅ−１を備える。
【０１７９】
第２の排気流路１０Ｇと加湿給気流路９Ｅ−１の分岐位置には、エアを通す方向を切り換える図示しない切換ダンパを備え、暖房運転時は、間接気化冷却ユニット４へ供給されるワーキングエアＷＡの流路を、第２の排気流路１０Ｇから加湿給気流路９Ｅ−１へ切り換える。
【０１８０】
また、給気流量調整ダンパ１４を閉じ、給気流路９ＥによるプロダクトエアＰＡの供給を停止する。更に、給排水装置１２の給水バルブ１２ｃを開け、間接気化エレメント１１への給水を行う。
【０１８１】
給気ファン２が駆動されると、給気流路９Ｅから加湿給気流路９Ｅ−１を通り給気吹出口６へ向かうエアの流れが生成される。これにより、外気ＯＡが外気吸込口５から吸い込まれ、熱交換エレメント３２の第１の流路３２ａ及び間接気化エレメント１１のワーキングエア流路１１ａを通り、給気吹出口６から給気ＳＡとして室内に供給される。
【０１８２】
また、排気ファン３が駆動されると、第１の排気流路１０Ｈにおいて排気吹出口８へ向かうエアの流れが生成される。これにより、室内からの還気ＲＡが還気吸込口７から吸い込まれ、熱交換エレメント３２の第２の流路３２ｂを通り、排気吹出口８から排気ＥＡとして屋外に排出される。
【０１８３】
熱交換エレメント３２では、第１の流路３２ａを通る外気ＯＡと、第２の流路３２ｂを通る還気ＲＡの間で熱交換が行われる。冬に換気装置１Ｅを使用することで、室内の温度が上げられ、還気ＲＡの温度は外気ＯＡの温度よりも高い。
【０１８４】
よって、熱交換エレメント３２の第１の流路３２ａを通った外気ＯＡは温度が上がる。
【０１８５】
間接気化冷却ユニット４のワーキングエア流路１１ａを通った外気ＯＡは、間接気化エレメント１１に給水が行われていることで加湿される。これにより、熱交換ユニット３１で加温され、間接気化冷却ユニット４で加湿された外気ＯＡが、給気ＳＡとして給気吹出口６から給気される。
【０１８６】
なお、間接気化冷却ユニット４のワーキングエア流路１１ａを通った外気ＯＡは、水の気化熱で冷却されるので、図１３（ａ）に示す例に比較すると、給気ＳＡの温度は下がる。但し、加湿されることで、室内の乾燥を防ぐことができる。
【０１８７】
以上の暖房運転時でも、還気ＲＡを利用することで、室内のエアを屋外に排気しながら、外気を加温して取り入れることができ、換気装置１Ｅは換気を行いながら暖房を行う機能を有することになる。そして、還気ＲＡの流量と、給気ＳＡの流量を調整することで、所定時間で部屋の空気を入れ替えるような換気動作が可能で、２４時間換気装置としても利用できる。
【０１８８】
＜熱交換ユニットを備えた構成と熱交換ユニットを備えていない構成の比較例＞
図１４は熱交換ユニット３１を備えた構成と、熱交換ユニット３１を備えていない構成の比較例である。ここで、間接気化冷却ユニット４を備えた換気装置としては、間接気化エレメント１１において、外気ＯＡの一部をワーキングエアＷＡとして利用する構成を例に説明する。
【０１８９】
まず、図１４（ａ）に示すように熱交換ユニット３１を備えていない構成では、４０℃の外気ＯＡを取り入れて間接気化冷却ユニット４で冷却すると、図７に示すグラフから、２１℃の給気ＳＡが生成できることが判るが、同時に図８に示すように、０．４８ｋｇ／ｈｒの水を消費する。
【０１９０】
そこで、図１４（ｂ）に示すように、取り込んだ外気ＯＡの温度を下げる熱交換ユニット３１を組み込むこととした。熱交換ユニット３１を構成する熱交換エレメント３２は、一般的に７０％程度の熱交換率を有しており、４０℃の外気ＯＡと２５℃の還気ＲＡ（室内空気）で熱交換すると、熱交換効率７０％で間接気化冷却ユニット４に２９．５℃のエアを供給できることになる。
【０１９１】
この条件で間接気化エレメント１１のプロダクトエアＰＡとワーキングエアＷＡとして供給すると、１７℃の給気ＳＡを生成でき、水の消費量も０．３２ｋｇ／ｈｒと抑えることができることが判った。
【０１９２】
これにより、熱交換ユニット３１を備えた換気装置１Ｄ〜１Ｅは、熱交換ユニット３１で還気ＲＡを利用することで、冷却能力が向上すると共に、水の消費を抑えることができる。
【０１９３】
＜第３の実施の形態の換気装置１Ｇの構成＞
図１５は第３の実施の形態の換気装置１Ｇの一例を示す構成図である。第３の実施の形態の換気装置１Ｇは、給気ファン２と排気ファン３と間接気化冷却ユニット４に加え、除湿ユニット３３を備える。なお、第３の実施の形態の換気装置１Ｇにおいて、換気装置１Ａと同じ構成要素については、同じ番号を付して説明する。
【０１９４】
除湿ユニット３３は、隔壁３４で仕切られた除湿流路３５ａ及び再生流路３５ｂと、除湿流路３５ａと再生流路３５ｂに跨って回転駆動される除湿ロータ３６と、再生流路３５ｂを通るエアを加熱するヒータ３７と、除湿ロータ３６を回転駆動する図示しない回転駆動装置を備える。
【０１９５】
除湿ロータ３６は、シリカゲル等の吸着材を有するハニカム構造の部材が、軸方向に連通した流路が形成されるように円板状に構成される。除湿ロータ３６は除湿流路３５ａと再生流路３５ｂに跨って配置され、除湿流路３５ａを通るエア及び再生流路３５ｂを通るエアはそれぞれ除湿ロータ３６を通る。
【０１９６】
なお、除湿ロータ３６において除湿流路３５ａと再生流路３５ｂは隔壁３４で仕切られ、除湿流路３５ａを通るエアと再生流路３５ｂを通るエアが混合されることはない。
【０１９７】
除湿流路３５ａを通るエアは水分が除湿ロータ３６に吸着され、除湿される。除湿ロータ３６は、回転駆動されることで、水分を吸着した部分が再生流路３５ｂ側に移動する。再生流路３５ｂを通るエアはヒータ３７で加熱されることで、再生流路３５ｂを通るエアで除湿ロータ３６が加熱されて水分が蒸発し、再度水分を吸着できる状態に再生する。
【０１９８】
そして、除湿ロータ３６は、再生された部分が除湿流路３５ａ側に移動する。これにより、除湿ユニット３３は、除湿ロータ３６を回転駆動することで、水分の吸着と再生を繰り返しながら、除湿流路３５ａを通るエアが除湿される。
【０１９９】
なお、除湿ユニット３３は除湿ロータでなくても良く、湿った空気が圧縮機によって圧縮された冷媒が流れる冷却部で冷却され、湿気は凝縮水として分離されるようなエアコンディショナーに用いられるような圧縮機による熱交換器を用いてもよく、除湿が行えるものであれば、他の方法であっても良い。
【０２００】
給気流路９Ｇは、外気吸込口５から給気ファン２、除湿ユニット３３の除湿流路３５ａ及び間接気化エレメント１１のプロダクトエア流路１１ｂを通り、給気吹出口６へ連通する。
【０２０１】
第２の排気流路１０Ｊは、還気吸込口７から間接気化エレメント１１のワーキングエア流路１１ａ及び排気ファン３を通り、排気吹出口８へ連通する。また、第１の排気流路１０Ｋは、還気吸込口７から除湿ユニット３３の再生流路３５ｂ及び排気ファン３を通り、排気吹出口８へ連通する。
【０２０２】
間接気化エレメント１１のワーキングエア流路１１ａとプロダクトエア流路１１ｂは、図２〜図４で説明したように略平行で、ワーキングエアＷＡとプロダクトエアＰＡを対向流としている。
【０２０３】
給気流路９Ｇは、例えば除湿ユニット３３の上流側に給気流量調整ダンパ１４を備える。給気流量調整ダンパ１４の開度を調整することで、給気流路９Ｇを流れるエアの流量が調整される。これにより、間接気化エレメント１１のプロダクトエア流路１１ｂを流れるプロダクトエアＰＡの流量が調整される。
【０２０４】
第２の排気流路１０Ｊは、例えば間接気化冷却ユニット４の上流側に排気流量調整ダンパ１５を備える。排気流量調整ダンパ１５の開度を調整することで、第２の排気流路１０Ｊを流れるエアの流量が調整される。これにより、間接気化エレメント１１のワーキングエア流路１１ａを流れるワーキングエアＷＡの流量が調整される。
【０２０５】
また、給気流路９Ｇは、例えば除湿ユニット３３の上流側に空気清浄フィルタ１６を備える。空気清浄フィルタ１６を除湿ユニット３３の上流側に配置することで、除湿ロータ３６及び間接気化エレメント１１への粉塵等の侵入を防ぐ。
【０２０６】
更に、給気流路９Ｇは、給気吹出口６に温度センサ１７を備えることで、給気温度が検出される。
【０２０７】
＜第３の実施の形態の換気装置１Ｇの動作＞
次に、図１５等を参照に第３の実施の形態の換気装置１Ｇの動作について説明する。まず、冷房動作から説明すると、換気装置１Ｇは、給気ファン２が駆動されると、給気流路９Ｇにおいて給気吹出口６へ向かうエアの流れが生成される。これにより、外気ＯＡが外気吸込口５から吸い込まれ、空気清浄フィルタ１６、除湿ユニット３３の除湿流路３５ａ及び間接気化エレメント１１のプロダクトエア流路１１ｂを通り、給気吹出口６から給気ＳＡとして室内に供給される。
【０２０８】
また、排気ファン３が駆動されると、第２の排気流路１０Ｊ及び第１の排気流路１０Ｋにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、除湿ユニット３３の再生流路３５ｂを通り、排気吹出口８から排気ＥＡとして屋外に排出される。
【０２０９】
従って、換気装置１Ｇでは、外気ＯＡがプロダクトエアＰＡとなり、還気ＲＡがワーキングエアＷＡとなる。
【０２１０】
図２〜図４で説明したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２１１】
よって、間接気化エレメント１１のプロダクトエア流路１１ｂを通過した外気ＯＡを、給気吹出口６から給気ＳＡとして吹き出すことで、室内の温度を下げることができる。
【０２１２】
ここで、間接気化エレメント１１のプロダクトエア流路１１ｂを通る外気ＯＡは、前段の除湿ユニット３３で湿度が下げられている。これにより、図９で説明したように、プロダクトエアＰＡの入力湿度が低いと、プロダクトエアＰＡの出口温度が下がるので、間接気化冷却ユニット４の前段に除湿ユニット３３を配置して、プロダクトエアＰＡの入力湿度を下げることで、効率的にプロダクトエアＰＡの出口温度を下げて、給気温度を制御することができる。
【０２１３】
また、夏場に換気装置１Ｇを使用することで、室内の温度が下げられる。よって、還気ＲＡの温度も低い。図７で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０２１４】
なお、間接気化エレメント１１のワーキングエア流路１１ａを通った還気ＲＡ及び除湿ユニット３３の再生流路３５ｂを通った還気ＲＡは高湿度のエアとなるので、排気吹出口８から排気ＥＡとして排出する。
【０２１５】
換気装置１Ｇでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２１６】
これにより、除湿ユニット３３を備えた換気装置１Ｇでも、給気流量調整ダンパ１４と排気流量調整ダンパ１５の何れかを作動させて、プロダクトエアＰＡの流量かワーキングエアＷＡの流量を調整することで、図５及び図６で説明したように、間接気化エレメント１１におけるプロダクトエアＰＡの出口温度が制御される。よって、給気吹出口６からの給気温度が制御される。
【０２１７】
例えば、ワーキングエアＷＡの流量を増加させると、間接気化エレメント１１におけるプロダクトエアＰＡの出口温度が低下することで、給気吹出口６からの給気温度を下げることができる。
【０２１８】
また、ワーキングエアＷＡの流量を減少させると、間接気化エレメント１１におけるプロダクトエアＰＡの出口温度が上昇することで、給気吹出口６からの給気温度を上げることができる。
【０２１９】
なお、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０２２０】
また、給気流量調整ダンパ１４と排気流量調整ダンパ１５の双方を作動させて、プロダクトエアＰＡの流量及びワーキングエアＷＡの流量を調整することで、間接気化エレメント１１におけるプロダクトエアＰＡの出口温度が制御され、給気吹出口６からの給気温度が制御される。
【０２２１】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０２２２】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０２２３】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０２２４】
このように、換気装置１Ｇは、除湿ユニット３３を備え、間接気化冷却ユニット４で還気ＲＡを利用することで、冷却能力が向上する。また、還気ＲＡを利用することで、室内のエアを屋外に排気しながら、外気を冷却して取り入れることができ、換気装置１Ｇは換気を行いながら冷房を行う機能を有することになる。
【０２２５】
そして、還気ＲＡの流量と、給気ＳＡの流量を調整することで、所定時間で部屋の空気を入れ替えるような換気動作が可能である。このため、換気装置１Ｇでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２２６】
図１６は第３の実施の形態の換気装置１Ｇの暖房動作時のエアの流れを示す概略構成図で、次に、暖房動作について説明する。暖房動作時は、排気流量調整ダンパ１５を閉じ、第２の排気流路１０ＪによるワーキングエアＷＡの供給を停止する。また、給排水装置１２の給水バルブ１２ｃを閉じ、間接気化エレメント１１への給水を停止する。
【０２２７】
更に、除湿ユニット３３のヒータ３７を給気流路９と排気流路１０の間で移動させる機構を備え、暖房運転時は、ヒータ３７を給気流路９Ｇ側に移動させる。これにより、再生流路３５ｂが形成され、給気流路９Ｇと連通されると共に、第１の排気流路１０Ｋが除湿流路３５ａと連通することになる。
【０２２８】
給気ファン２が駆動されると、給気流路９Ｇにおいて給気吹出口６へ向かうエアの流れが生成される。これにより、外気ＯＡが外気吸込口５から吸い込まれ、除湿ユニット３３の再生流路３５ｂ及び間接気化エレメント１１のプロダクトエア流路１１ｂを通り、給気吹出口６から給気ＳＡとして室内に供給される。
【０２２９】
また、排気ファン３が駆動されると、第１の排気流路１０Ｋにおいて排気吹出口８へ向かうエアの流れが生成される。これにより、室内からの還気ＲＡが還気吸込口７から吸い込まれ、除湿ユニット３３の除湿流路３５ａを通り、排気吹出口８から排気ＥＡとして屋外に排出される。
【０２３０】
除湿ユニット３３では、除湿流路３５ａにおいて還気ＲＡが除湿されることで、除湿ロータ３６に水分が吸着する。そして、除湿ロータ３６が回転して水分を吸着した部分が再生流路３５ｂ側に移動することで、ヒータ３７で加温された外気ＯＡが除湿ロータ３６を通過して、除湿ロータ３６の水分を蒸発させる。これにより、除湿ユニット３３を通過した外気ＯＡは加温及び加湿される。
【０２３１】
間接気化冷却ユニット４は、ワーキングエアＷＡの供給が停止しているので、プロダクトエア流路１１ｂを通るプロダクトエアＰＡは冷却されない。これにより、除湿ユニット３３で加温及び加湿された外気ＯＡが、給気ＳＡとして給気吹出口６から給気される。
【０２３２】
暖房運転時でも、還気ＲＡを利用することで、室内のエアを屋外に排気しながら、外気を加温して取り入れることができ、換気装置１Ｇは換気を行いながら暖房を行う機能を有することになる。そして、還気ＲＡの流量と、給気ＳＡの流量を調整することで、所定時間で部屋の空気を入れ替えるような換気動作が可能で、２４時間換気装置としても利用できる。
【０２３３】
＜第３の実施の形態の換気装置１Ｇの変形例＞
図１７は第３の実施の形態の換気装置１Ｇの変形例を示す概略構成図である。図１７（ａ）に示す換気装置１Ｇ−１は、第２の排気流路１０Ｊを、除湿ユニット３３の除湿流路３５ａを通し、間接気化エレメント１１のワーキングエア流路１１ａと連通させたものである。
【０２３４】
除湿ユニット３３は、図１７（ｂ）に模式的に示すように、除湿流路３５ａが隔壁３４ａで２分割され、給気流路９Ｇと連通した除湿流路３５ａと、排気流路１０Ｊと連通した除湿流路３５ａは独立している。
【０２３５】
以上の構成では、ワーキングエアＷＡとして利用する還気ＲＡも除湿されることで、ワーキングエアＷＡの入口湿度を下げることができる。よって、冷却能力が向上する。
【０２３６】
図１８は第３の実施の形態の変形例の換気装置１Ｇ−１の暖房動作時のエアの流れを示す概略構成図で、次に、暖房動作について説明する。暖房動作時は、図示しない排気流量調整ダンパを閉じ、第２の排気流路１０ＪによるワーキングエアＷＡの供給を停止する。また、給排水装置１２の給水バルブ１２ｃを閉じ、間接気化エレメント１１への給水を停止する。
【０２３７】
更に、暖房運転時は、ヒータ３７を給気流路９側に移動させる。これにより、再生流路３５ｂが形成され、給気流路９Ｇと連通されると共に、第１の排気流路１０Ｋが除湿流路３５ａと連通することになる。
【０２３８】
給気ファン２が駆動されると、給気流路９Ｇにおいて給気吹出口６へ向かうエアの流れが生成される。これにより、外気ＯＡが外気吸込口５から吸い込まれ、除湿ユニット３３の再生流路３５ｂ及び間接気化エレメント１１のプロダクトエア流路１１ｂを通り、給気吹出口６から給気ＳＡとして室内に供給される。
【０２３９】
また、排気ファン３が駆動されると、第１の排気流路１０Ｋにおいて排気吹出口８へ向かうエアの流れが生成される。これにより、室内からの還気ＲＡが還気吸込口７から吸い込まれ、除湿ユニット３３の除湿流路３５ａを通り、排気吹出口８から排気ＥＡとして屋外に排出される。
【０２４０】
除湿ユニット３３では、除湿流路３５ａにおいて還気ＲＡが除湿されることで、除湿ロータ３６に水分が吸着する。そして、除湿ロータ３６が回転して水分を吸着した部分が再生流路３５ｂ側に移動することで、ヒータ３７で加温された外気ＯＡが除湿ロータ３６を通過して、除湿ロータ３６の水分を蒸発させる。これにより、除湿ユニット３３を通過した外気ＯＡは加温及び加湿される。
【０２４１】
間接気化冷却ユニット４は、ワーキングエアＷＡの供給が停止しているので、プロダクトエア流路１１ｂを通るプロダクトエアＰＡは冷却されない。これにより、除湿ユニット３３で加温及び加湿された外気ＯＡが、給気ＳＡとして給気吹出口６から給気される。
【０２４２】
＜第４の実施の形態の換気装置１Ｈの構成＞
図１９は第４の実施の形態の換気装置１Ｈの一例を示す構成図である。第４の実施の形態の換気装置１Ｈは、除湿ユニット３３を備えた換気装置１Ｈにおいて、間接気化冷却ユニット４を構成する間接気化エレメント１１のワーキングエアＷＡに外気ＯＡを使用するものである。なお、第４の実施の形態の換気装置１Ｈにおいて、第３の実施の形態の換気装置１Ｇと同じ構成要素については、同じ番号を付して説明する。
【０２４３】
換気装置１Ｈは、外気吸込口５から給気ファン２、除湿ユニット３３の除湿流路３５ａ及び間接気化エレメント１１のプロダクトエア流路１１ｂを通り、給気吹出口６へ連通する給気流路９Ｈを備える。
【０２４４】
また、換気装置１Ｈは、除湿ユニット３３より下流側で給気流路９Ｈと分岐し、間接気化エレメント１１のワーキングエア流路１１ａ及び排気ファン３を通り、排気吹出口８へ連通する第２の排気流路１０Ｌと、還気吸込口７から除湿ユニット３３の再生流路３５ｂ及び排気ファン３を通り、排気吹出口８へ連通した第１の排気流路１０Ｍを備える。
【０２４５】
間接気化エレメント１１のワーキングエア流路１１ａとプロダクトエア流路１１ｂは、図２〜図４で説明したように略平行で、ワーキングエアＷＡとプロダクトエアＰＡを対向流としている。
【０２４６】
給気流路９Ｈは、第２の排気流路１０Ｌとの分岐位置より下流側で、例えば間接気化冷却ユニット４の上流側に給気流量調整ダンパ１４を備える。また、第２の排気流路１０Ｌは、給気流路９Ｈとの分岐位置より下流側で、例えば間接気化冷却ユニット４の上流側に排気流量調整ダンパ１５を備える。
【０２４７】
給気流量調整ダンパ１４の開度を調整することで、給気流路９Ｈを流れるエアの流量が調整される。これにより、間接気化エレメント１１のプロダクトエア流路１１ｂを流れるプロダクトエアＰＡの流量が調整される。
【０２４８】
また、排気流量調整ダンパ１５の開度を調整することで、第２の排気流路１０Ｌを流れるエアの流量が調整される。これにより、間接気化エレメント１１のワーキングエア流路１１ａを流れるワーキングエアＷＡの流量が調整される。
【０２４９】
なお、給気流路９Ｈは、例えば除湿ユニット３３より上流側に空気清浄フィルタ１６を備える。更に、給気流路９Ｈは、給気吹出口６に温度センサ１７を備える。
【０２５０】
＜第４の実施の形態の換気装置１Ｈの動作＞
次に、図１９等を参照に第４の実施の形態の換気装置１Ｈの動作について説明する。先ず冷房動作から説明すると、換気装置１Ｈは、給気ファン２が駆動されると、給気流路９Ｈにおいて給気吹出口６へ向かうエアの流れが生成される。これにより、外気ＯＡが外気吸込口５から吸い込まれ、除湿ユニット３３の除湿流路３５ａ及び間接気化エレメント１１のプロダクトエア流路１１ｂを通り、給気吹出口６から給気ＳＡとして室内に供給される。
【０２５１】
また、排気ファン３が駆動されると、第２の排気流路１０Ｌ及び第１の排気流路１０Ｍにおいて排気吹出口８へ向かうエアの流れが生成される。これにより、第２の排気流路１０Ｌによって外気ＯＡの一部が間接気化エレメント１１のワーキングエア流路１１ａを通り、排気吹出口８から排気ＥＡとして屋外に排出される。また、第１の排気流路１０Ｍによって、室内からの還気ＲＡが還気吸込口７から吸い込まれ、除湿ユニット３３の再生流路３５ｂを通り、排気吹出口８から排気ＥＡとして屋外に排出される。
【０２５２】
従って、換気装置１Ｈでは、外気ＯＡがプロダクトエアＰＡ及びワーキングエアＷＡとなる。
【０２５３】
図２〜図４で説明したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２５４】
よって、間接気化エレメント１１のプロダクトエア流路１１ｂを通過した外気ＯＡを、給気吹出口６から給気ＳＡとして吹き出すことで、室内の温度を下げることができる。
【０２５５】
ここで、間接気化エレメント１１のプロダクトエア流路１１ｂ及びワーキングエア流路１１ａには共に外気ＯＡが供給され、外気ＯＡは、前段の除湿ユニット３３で湿度が下げられている。これにより、図９で説明したように、プロダクトエアＰＡ及びワーキングエアＷＡの入力湿度が低いと、プロダクトエアＰＡの出口温度が下がるので、間接気化冷却ユニット４の前段に除湿ユニット３３を配置して、プロダクトエアＰＡ及びワーキングエアＷＡの入力湿度を下げることで、効率的にプロダクトエアＰＡの出口温度を下げて、給気温度を制御することができる。
【０２５６】
なお、間接気化エレメント１１のワーキングエア流路１１ａを通った外気ＯＡ及び除湿ユニット３３の再生流路３５ｂを通った還気ＲＡは高湿度のエアとなるので、排気吹出口８から排気ＥＡとして排出する。
【０２５７】
換気装置１Ｈでは、第３の実施の形態の換気装置１Ｇと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２５８】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図５及び図６で説明したように、間接気化エレメント１１におけるプロダクトエアＰＡの出口温度が制御される。よって、給気吹出口６からの給気温度が制御される。
【０２５９】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０２６０】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０２６１】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０２６２】
換気装置１Ｈは、除湿ユニット３３を備え、除湿ユニット３３で除湿された外気ＯＡを間接気化冷却ユニット４で利用することで、冷却能力が向上する。また、還気ＲＡを除湿ユニット３３で再生空気として利用することで、室内のエアを屋外に排気しながら、外気を冷却して取り入れることができ、換気装置１Ｈは換気を行いながら冷房を行う機能を有することになる。
【０２６３】
そして、還気ＲＡの流量と、給気ＳＡの流量を調整することで、所定時間で部屋の空気を入れ替えるような換気動作が可能である。このため、換気装置１Ｈでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２６４】
図２０は第４の実施の形態の換気装置１Ｈの暖房動作時のエアの流れを示す概略構成図で、次に、暖房動作について説明する。図２０（ａ）に示す例では、暖房動作時は、排気流量調整ダンパ１５を閉じ、第２の排気流路１０ＬによるワーキングエアＷＡの供給を停止する。また、給排水装置１２の給水バルブ１２ｃを閉じ、間接気化エレメント１１への給水を停止する。
【０２６５】
更に、除湿ユニット３３のヒータ３７を給気流路９と排気流路１０の間で移動させる機構を備え、暖房運転時は、ヒータ３７を給気流路９Ｈ側に移動させる。これにより、再生流路３５ｂが形成され、給気流路９Ｈと連通されると共に、第１の排気流路１０Ｍが除湿流路３５ａと連通することになる。
【０２６６】
給気ファン２が駆動されると、給気流路９Ｈにおいて給気吹出口６へ向かうエアの流れが生成される。これにより、外気ＯＡが外気吸込口５から吸い込まれ、除湿ユニット３３の再生流路３５ｂ及び間接気化エレメント１１のプロダクトエア流路１１ｂを通り、給気吹出口６から給気ＳＡとして室内に供給される。
【０２６７】
また、排気ファン３が駆動されると、第１の排気流路１０Ｍにおいて排気吹出口８へ向かうエアの流れが生成される。これにより、室内からの還気ＲＡが還気吸込口７から吸い込まれ、除湿ユニット３３の除湿流路３５ａを通り、排気吹出口８から排気ＥＡとして屋外に排出される。
【０２６８】
除湿ユニット３３では、除湿流路３５ａにおいて還気ＲＡが除湿されることで、除湿ロータ３６に水分が吸着する。そして、除湿ロータ３６が回転して水分を吸着した部分が再生流路３５ｂ側に移動することで、ヒータ３７で加温された外気ＯＡが除湿ロータ３６を通過して、除湿ロータ３６の水分を蒸発させる。これにより、除湿ユニット３３を通過した外気ＯＡは加温及び加湿される。
【０２６９】
間接気化冷却ユニット４は、ワーキングエアＷＡの供給が停止しているので、プロダクトエア流路１１ｂを通るプロダクトエアＰＡは冷却されない。これにより、除湿ユニット３３で加温及び加湿された外気ＯＡが、給気ＳＡとして給気吹出口６から給気される。
【０２７０】
図２０（ｂ）に示す例では、間接気化冷却ユニット４の下流で第２の排気流路１０Ｌから分岐し、間接気化冷却ユニット４の下流で給気流路９Ｈと連通した加湿給気流路９Ｈ−１を備える。
【０２７１】
第２の排気流路１０Ｌと加湿給気流路９Ｈ−１の分岐位置には、エアを通す方向を切り換える図示しない切換ダンパを備え、暖房運転時は、間接気化冷却ユニット４へ供給されるワーキングエアＷＡの流路を、第２の排気流路１０Ｌから加湿給気流路９Ｈ−１へ切り換える。
【０２７２】
また、給気流量調整ダンパ１４を閉じ、給気流路９ＨによるプロダクトエアＰＡの供給を停止する。更に、給排水装置１２の給水バルブ１２ｃを開け、間接気化エレメント１１への給水を行う。
【０２７３】
また、除湿ユニット３３のヒータ３７を給気流路９と排気流路１０の間で移動させる機構を備え、暖房運転時は、ヒータ３７を給気流路９側に移動させる。これにより、再生流路３５ｂが形成され、給気流路９Ｈと連通されると共に、第１の排気流路１０Ｍが除湿流路３５ａと連通することになる。
【０２７４】
給気ファン２が駆動されると、給気流路９Ｈから加湿給気流路９Ｈ−１を通り給気吹出口６へ向かうエアの流れが生成される。これにより、外気ＯＡが外気吸込口５から吸い込まれ、除湿ユニット３３の再生流路３５ｂ及び間接気化エレメント１１のワーキングエア流路１１ａを通り、給気吹出口６から給気ＳＡとして室内に供給される。
【０２７５】
また、排気ファン３が駆動されると、第１の排気流路１０Ｍにおいて排気吹出口８へ向かうエアの流れが生成される。これにより、室内からの還気ＲＡが還気吸込口７から吸い込まれ、除湿ユニット３３の除湿流路３５ａを通り、排気吹出口８から排気ＥＡとして屋外に排出される。
【０２７６】
除湿ユニット３３では、除湿流路３５ａにおいて還気ＲＡが除湿されることで、除湿ロータ３６に水分が吸着する。そして、除湿ロータ３６が回転して水分を吸着した部分が再生流路３５ｂ側に移動することで、ヒータ３７で加温された外気ＯＡが除湿ロータ３６を通過して、除湿ロータ３６の水分を蒸発させる。これにより、除湿ユニット３３を通過した外気ＯＡは加温及び加湿される。
【０２７７】
間接気化冷却ユニット４のワーキングエア流路１１ａを通った外気ＯＡは、間接気化エレメント１１に給水が行われていることで加湿される。これにより、除湿ユニット３３で加温及び加湿され、間接気化冷却ユニット４で更に加湿された外気ＯＡが、給気ＳＡとして給気吹出口６から給気される。
【０２７８】
なお、間接気化冷却ユニット４のワーキングエア流路１１ａを通った外気ＯＡは、水の気化熱で冷却されるので、図２０（ａ）に示す例に比較すると、給気ＳＡの温度は下がる。但し、加湿されることで、室内の乾燥を防ぐことができる。
【０２７９】
以上の暖房運転時でも、還気ＲＡを利用することで、室内のエアを屋外に排気しながら、外気を加温して取り入れることができ、換気装置１Ｈは換気を行いながら暖房を行う機能を有することになる。そして、還気ＲＡの流量と、給気ＳＡの流量を調整することで、所定時間で部屋の空気を入れ替えるような換気動作が可能で、２４時間換気装置としても利用できる。
【０２８０】
以上の各例では、間接気化冷却ユニット４と、給気ファン２と排気ファン３、熱交換ユニット３１または除湿ユニット３３は同一筐体内に無くても良く、ファンは他の機器と兼用しても良い。
【０２８１】
＜除湿ユニットを備えた構成の効果例＞
図２１は除湿ユニット３３を備えた構成の効果の一例である。ここで、間接気化冷却ユニット４を備えた換気装置としては、間接気化エレメント１１において、外気ＯＡの一部をワーキングエアＷＡとして利用する構成を例に説明する。
【０２８２】
例えば、温度３０℃、絶対湿度１０ｇ／ｋｇ（ＤＡ）、相対湿度約４０％ＲＨの外気ＯＡが、除湿ユニット３３の除湿流路３５ａを通ることで、温度４０℃、絶対湿度５ｇ／ｋｇ（ＤＡ）、相対湿度約１０％ＲＨの入力エアとなる。
【０２８３】
ここで、入力エアの温度が上がるのは、除湿ユニット３３の除湿流路３５ａで水分を吸着する際に生じる吸着熱の発生の為であり、かつ、除湿ロータ３６が再生流路３５ｂ側ではヒータ３７により加熱されるためである。
【０２８４】
この条件の入力エアを、間接気化冷却ユニット４のプロダクトエアＰＡ及びワーキングエアＷＡとすると、入力湿度（絶対湿度）が低いため、プロダクトエアＰＡの出口温度は２０℃と下がる。なお、絶対湿度が５ｇ／ｋｇ（ＤＡ）と低いので、出口温度は更に下がる余地がある。
【０２８５】
これにより、除湿ユニット３３を備えた換気装置１Ｇ〜１Ｈは、外気ＯＡの湿度を下げてプロダクトエアＰＡ等として利用することで、冷却能力が向上する。
【０２８６】
＜第５の実施の形態の換気装置１Ｊの構成＞
図２２は第５の実施の形態の換気装置１Ｊの一例を示す構成図である。第５の実施の形態の換気装置１Ｊは、独立した排気ファン３Ａとの組み合わせで使用される換気装置で、給気ファン２と除湿ユニット３３と間接気化冷却ユニット４を備える。
【０２８７】
換気装置１Ｊは、外気吸込口５から給気ファン２、除湿ユニット３３の除湿流路３５ａ及び間接気化エレメント１１のプロダクトエア流路１１ｂを通り、給気吹出口６へ連通する給気流路９Ｊを備える。
【０２８８】
また、換気装置１Ｊは、除湿ユニット３３より下流側で給気流路９Ｊと分岐し、間接気化エレメント１１のワーキングエア流路１１ａを通り、排気吹出口８へ連通する第２の排気流路１０Ｎと、除湿ユニット３３より上流側で給気流路９Ｊと分岐し、除湿ユニット３３の再生流路３５ｂを通り、排気吹出口８へ連通した第１の排気流路１０Ｐを備える。
【０２８９】
＜第５の実施の形態の換気装置１Ｊの動作＞
次に、図２２等を参照に第５の実施の形態の換気装置１Ｊの動作について説明する。先ず冷房動作から説明すると、換気装置１Ｊは、給気ファン２が駆動されると、給気流路９Ｊにおいて給気吹出口６へ向かうエアの流れが生成される。これにより、外気ＯＡが外気吸込口５から吸い込まれ、除湿ユニット３３の除湿流路３５ａ及び間接気化エレメント１１のプロダクトエア流路１１ｂを通り、給気吹出口６から給気ＳＡとして室内に供給される。
【０２９０】
また、給気ファン２が駆動されると、第２の排気流路１０Ｎ及び第１の排気流路１０Ｐにおいて排気吹出口８へ向かうエアの流れが生成される。これにより、第２の排気流路１０Ｎによって外気ＯＡの一部が間接気化エレメント１１のワーキングエア流路１１ａを通り、排気吹出口８から排気ＥＡとして屋外に排出される。また、第１の排気流路１０Ｐによって、外気ＯＡの一部が除湿ユニット３３の再生流路３５ｂを通り、排気吹出口８から排気ＥＡとして屋外に排出される。
【０２９１】
従って、換気装置１Ｊでは、外気ＯＡがプロダクトエアＰＡ及びワーキングエアＷＡとなる。
【０２９２】
図２〜図４で説明したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２９３】
よって、間接気化エレメント１１のプロダクトエア流路１１ｂを通過した外気ＯＡを、給気吹出口６から給気ＳＡとして吹き出すことで、室内の温度を下げることができる。
【０２９４】
ここで、間接気化エレメント１１のプロダクトエア流路１１ｂ及びワーキングエア流路１１ａには共に外気ＯＡが供給され、外気ＯＡは、前段の除湿ユニット３３で湿度が下げられている。これにより、図９で説明したように、プロダクトエアＰＡ及びワーキングエアＷＡの入力湿度が低いと、プロダクトエアＰＡの出口温度が下がるので、間接気化冷却ユニット４の前段に除湿ユニット３３を配置して、プロダクトエアＰＡ及びワーキングエアＷＡの入力湿度を下げることで、効率的にプロダクトエアＰＡの出口温度を下げて、給気温度を制御することができる。
【０２９５】
なお、独立した排気ファン３Ａの還気ＲＡの換気量は、換気装置１Ｊの給気量に合わせて制御される。
【０２９６】
図２３は第５の実施の形態の換気装置１Ｊの暖房動作時のエアの流れを示す概略構成図で、次に、暖房動作について説明する。まず、換気装置１Ｊは、除湿ユニット３３の上流で給気流路９Ｊと分岐し、間接気化エレメント１１のワーキングエア流路１１ａ及び除湿ユニット３３の除湿流路３５ａを通り、排気吹出口８と連通した加湿排気流路１０Ｑを備える。
【０２９７】
給気流路９Ｊと加湿排気流路１０Ｑの分岐位置には、エアを通す方向を切り換える図示しない切換ダンパを備え、暖房運転時は、外気ＯＡの流路を給気流路９Ｊから加湿排気流路１０Ｑへ切り換える。
【０２９８】
また、換気装置１Ｊは、第２の排気流路１０Ｎから分岐して、給気流路９Ｊと連通した加湿給気流路９Ｋを備える。第２の排気流路１０Ｎと加湿給気流路９Ｋの分岐位置及び第２の排気流路１０Ｎと第１の排気流路１０Ｐの分岐位置には、エアを通す方向を切り換える図示しない切換ダンパを備え、暖房運転時は、除湿ユニット３３の再生流路３５ｂを通るエアの流路を、加湿給気流路９Ｋへ切り換える。
【０２９９】
更に、暖房運転時は、給排水装置１２の給水バルブ１２ｃを開け、間接気化エレメント１１への給水を行う。
【０３００】
給気ファン２が駆動されると、加湿排気流路１０Ｑにおいて排気吹出口８へ向かうエアの流れが生成される。これにより、外気ＯＡが外気吸込口５から吸い込まれ、間接気化エレメント１１のワーキングエア流路１１ａ及び除湿ユニット３３の除湿流路３５ａを通り、排気吹出口８から排気ＥＡとして排気される。
【０３０１】
間接気化冷却ユニット４のワーキングエア流路１１ａを通った外気ＯＡは、間接気化エレメント１１に給水が行われていることで加湿される。そして、除湿ユニット３３の除湿流路３５ａを通ることで、除湿ロータ３６に水分が吸着される。
【０３０２】
また、給気ファン２が駆動されると、加湿給気流路９Ｋにおいて給気吹出口６へ向かうエアの流れが生成される。これにより、外気ＯＡが外気吸込口５から吸い込まれ、除湿ユニット３３の再生流路３５ｂを通り、給気吹出口６から給気ＳＡとして室内に供給される。
【０３０３】
除湿ユニット３３では、間接気化冷却ユニット４のワーキング流路１１ａで加湿された外気ＯＡが除湿流路３５ａにおいて除湿されることで、除湿ロータ３６に水分が吸着する。そして、除湿ロータ３６が回転して水分を吸着した部分が再生流路３５ｂ側に移動することで、ヒータ３７で加温された外気ＯＡが除湿ロータ３６を通過して、除湿ロータ３６の水分を蒸発させる。これにより、除湿ユニット３３の再生流路３５ｂを通過した外気ＯＡは加温及び加湿される。これにより、給気吹出口６から加湿及び加温された外気ＯＡが給気ＳＡとして給気される。
【０３０４】
なお、暖房運転時も、独立した排気ファン３Ａの還気ＲＡの換気量は、換気装置１Ｊの給気量に合わせて制御される。
【０３０５】
＜各実施の形態の換気装置の変形例＞
上述した各実施の形態の換気装置１では、間接気化エレメント１１において、還気ＲＡもしくは外気ＯＡをワーキングエアＷＡとして使用する例で説明した。これに対して、図２及び図３で説明した遮蔽部材２１ｇを断続的に形成して空気取り入れ口を形成し、プロダクトエアＰＡの一部をワーキングエアＷＡとして取り込める構成としてもよい。
【０３０６】
すなわち、図２及び図３で説明した遮蔽部材２１ｇを断続的に形成して空気取り入れ口を形成することで、間接気化エレメント１１の下流側で給気流路９から分岐して、ワーキングエア流路１１ａと連通した排気流路が形成される。
【０３０７】
これにより、還気ＲＡをワーキングエアＷＡとして使用する例では、ワーキングエア流路１１ａにおいて、例えば図１０に示すように、還気ＲＡによるワーキングエアＷＡと、プロダクトエアＰＡの一部による一点差線で示すワーキングエアＷＡ′が混合する構成となる。
【０３０８】
また、外気ＯＡをワーキングエアＷＡとして使用する例では、例えば図１２に示すように、外気ＯＡによるワーキングエアＷＡと、プロダクトエアＰＡの一部による一点差線で示すワーキングエアＷＡ′が混合する構成となる。
【０３０９】
なお、プロダクトエアＰＡの一部をワーキングエアＷＡとして使用しない構成では、プロダクトエア流路１１ｂの入口側にワーキングエア流路１１ａの入口を配置して、プロダクトエアＰＡとワーキングエアＷＡの流れる方向を同じ向きとしても良い。
【０３１０】
更に、還気ＲＡの一部を給気側に利用するため、還気ＲＡを外気吸込口５あるいは間接気化冷却ユニット４の上流で給気流路９と連通させても良い。上述したように、還気ＲＡは夏場は空気調和され冷却されているので、還気ＲＡの一部を給気として利用することで、間接気化冷却ユニット４においてプロダクトエアＰＡ等の入力温度更には入力湿度が下がり、冷却能力が向上する。
【０３１１】
また、外気吸込口５に図示しない風路開閉ダンパを備え、外気吸込口５を閉じることで、還気ＲＡの全てを循環ＲＡとして給気側で利用し、外気の取り込みを伴わない循環換気を行えるようにしても良い。
【０３１２】
更に、空気清浄フィルタ１６の他に、空気清浄装置としてイオン発生器やオゾン発生器を備えても良い。例えば、イオン発生器は、正イオンと負イオンを発生し、略同数の正イオンと負イオンを供給すると共に、負イオンのみ又は負イオンを正イオンより多く供給する機能を備える。
【０３１３】
このようなイオン発生器を給気吹出口６に備えると、略同数の正イオンと負イオンを含む給気ＳＡが居室等に供給され、カビ等の発生を防いで除菌することができる。なお、負イオンを供給すると、リラックス効果を得ることができる。
【０３１４】
また、イオン発生器を間接気化ユニット４の上流側等、給気流路９の上流側に配置することで、居室だけでなく、装置内の除菌を行うことができる。
【０３１５】
＜換気装置の設置例＞
図２４は本実施の形態の建物の一例を示す構成図で、換気装置１の設置例を示す。図１０等で説明した換気装置１は、建物１０１の天井裏等に設置される。建物１０１は複数の居室１０２とトイレ１０３、洗面所１０４ａ、浴室１０４ｂ等を備え、換気装置１の図１０等に示す給気吹出口６は、各居室１０２の天井等に設置した給気口１０５にダクト１０６を介して接続される。
【０３１６】
なお、図１０等では、給気吹出口６を１個備えた構成であるが、複数の居室１０２に給気ＳＡを供給するためには、ダクト１０６の途中に分岐チャンバー１０６ａを設置し、１本のダクト１０６を複数本のダクト１０６に分岐できるようにすれば良い。
【０３１７】
また、換気装置１に複数の給気吹出口６を備えても良いし、複数の給気吹出口６を備えた換気装置１と分岐チャンバー１０６ａを組み合わせても良い。
【０３１８】
換気装置１の図１０等に示す還気吸込口８は、例えばトイレ１０３の天井等に設置した吸込口１０７にダクト１０７ａ等を介して接続される。居室１０５内に給気した空気は、ドアのアンダーカット部、ガラリ部等を通して吸込口１０７に集められ、還気吸込口８から吸い込んだ還気ＲＡは、図１０等で説明したようにワーキングエアＷＡ等として利用して排気するので、居室には戻らない。これにより、臭気を排気できる。吸込口１０７は、図１０のような換気装置１の本体下面に設けた還気吸込口７でも良く、更に、還気吸込口７を複数設けても良い、また、給気口１０５を設けた居室１０２内にそれぞれ吸込口１０７を設けても良い。
【０３１９】
換気装置１の図１０等に示す外気吸込口５は、ベランダ１０８等の壁面に備えた吸込口１０９にダクト１０９ａを介して接続される。また、排気吹出口８は、ベランダ１０８等の壁面に備えた排気口１１０にダクト１１０ａを介して接続される。これにより、換気装置１は外気ＯＡを屋外から取り込むと共に、トイレ１０３等からの還気ＲＡを屋外へ排気ＥＡとして排気できる。
【０３２０】
換気装置１は、図１０等に示すように、間接気化冷却ユニット４に給排水装置１２とドレンパン１３Ａを備える。間接気化冷却ユニット４では、上述したように、水の気化熱でワーキングエアＷＡを冷却するため、給排水装置１２により水が供給され、消費されない水はドレンパン１３Ａに貯水される。そして、ドレンパン１３Ａと、ベランダ１０８等に設置したドレン排水口１１１がホース１１１ａで接続され、ドレンパン１３Ａの水を給排水装置１２等で装置外へ排水できるようになっている。
【産業上の利用可能性】
【０３２１】
本発明は、一般住宅に設置され、複数の部屋の換気及び空調を行う換気装置に適用される。
【図面の簡単な説明】
【０３２２】
【図１】間接気化冷却ユニットを備えた換気装置１Ａの一例を示す構成図である。
【図２】間接気化エレメントの一例を示す構成図である。
【図３】間接気化エレメントの一例を示す構成図である。
【図４】間接気化エレメントの動作例を示す説明図である。
【図５】ワーキングエアＷＡの流量とプロダクトエアＰＡの出口温度の関係を示すグラフである。
【図６】プロダクトエアＰＡの流量とプロダクトエアＰＡの出口温度の関係を示すグラフである。
【図７】ワーキングエアＷＡ及びプロダクトエアＰＡの入口温度とプロダクトエアＰＡの出口温度の関係を示すグラフである。
【図８】ワーキングエアＷＡ及びプロダクトエアＰＡの入口温度と水の消費量の関係を示すグラフである。
【図９】ワーキングエアＷＡ及びプロダクトエアＰＡの入口湿度とプロダクトエアＰＡの出口温度の関係を示すグラフである。
【図１０】第１の実施の形態の換気装置１Ｄの一例を示す構成図である。
【図１１】第１の実施の形態の換気装置１Ｄの暖房動作時のエアの流れを示す概略構成図である。
【図１２】第２の実施の形態の換気装置１Ｅの一例を示す構成図である。
【図１３】第２の実施の形態の換気装置１Ｅの暖房動作時のエアの流れを示す概略構成図である。
【図１４】熱交換ユニットを備えた構成と熱交換ユニットを備えていない構成の比較例である。
【図１５】第３の実施の形態の換気装置１Ｇの一例を示す構成図である。
【図１６】第３の実施の形態の換気装置１Ｇの暖房動作時のエアの流れを示す概略構成図である。
【図１７】第３の実施の形態の換気装置１Ｇの変形例を示す概略構成図である。
【図１８】第３の実施の形態の変形例の換気装置１Ｇ−１の暖房動作時のエアの流れを示す概略構成図である。
【図１９】第４の実施の形態の換気装置１Ｈの一例を示す構成図である。
【図２０】第４の実施の形態の換気装置１Ｈの暖房動作時のエアの流れを示す概略構成図である。
【図２１】除湿ユニットを備えた構成の効果の一例である。
【図２２】第５の実施の形態の換気装置１Ｊの一例を示す構成図である。
【図２３】第５の実施の形態の換気装置１Ｊの暖房動作時のエアの流れを示す概略構成図である。
【図２４】本実施の形態の建物の一例を示す構成図である。
【符号の説明】
【０３２３】
１・・・換気装置、２・・・給気ファン、３・・・排気ファン、４・・・間接気化冷却ユニット、５・・・外気吸込口、６・・・給気吹出口、７・・・還気吸込口、８・・・・排気吹出口、９・・・給気流路、１０・・・排気流路、１１・・・間接気化エレメント、１１ａ・・・ワーキングエア流路、１１ｂ・・・プロダクトエア流路、１２・・・給排水装置、１３Ａ・・・ドレンパン、１３Ｂ・・・給水槽、１４・・・給気流量調整ダンパ、１５・・・排気流量調整ダンパ、１６・・・空気清浄フィルタ、１７・・・温度センサ、１８・・・給気流量調整ダンパ、１９・・・給気流量調整ダンパ、２１・・・ウエットセル、２２・・・ドライセル、２３・・・熱交換隔壁、２３ａ・・・防湿フィルム、２３ｂ・・・湿潤層、３１・・・熱交換ユニット、３２・・・熱交換エレメント、３３・・・除湿ユニット
【図１】
2007139333.tif 000005
【図２】
2007139333.tif 000006
【図３】
2007139333.tif 000007
【図４】
2007139333.tif 000008
【図５】
2007139333.tif 000009
【図６】
2007139333.tif 000010
【図７】
2007139333.tif 000011
【図８】
2007139333.tif 000012
【図９】
2007139333.tif 000013
【図１０】
2007139333.tif 000014
【図１１】
2007139333.tif 000015
【図１２】
2007139333.tif 000016
【図１３】
2007139333.tif 000017
【図１４】
2007139333.tif 000018
【図１５】
2007139333.tif 000019
【図１６】
2007139333.tif 000020
【図１７】
2007139333.tif 000021
【図１８】
2007139333.tif 000022
【図１９】
2007139333.tif 000023
【図２０】
2007139333.tif 000024
【図２１】
2007139333.tif 000025
【図２２】
2007139333.tif 000026
【図２３】
2007139333.tif 000027
【図２４】
2007139333.tif 000028